(57)【要約】本実施形態は、端末が、端末が属する端末セットに対応するタイプ−１メッセージ伝送方法に従って、タイプ−１メッセージを基地局に伝送することを含む、ランダムアクセスの間のメッセージの伝送のための方法を提供し、端末セットは、端末によってサポートされるサブキャリア伝送能力に従って分類される。本実施形態はまた、ランダムアクセスの間のメッセージの伝送のための３つの他の方法、ならびに対応するデバイスおよびコンピュータ記憶媒体を提供する。【特許請求の範囲】
【請求項１】
ランダムアクセスプロシージャの間、メッセージを伝送するための方法であって、
端末が、前記端末が属する端末セットに対応するタイプ−１メッセージ伝送方法に従って、タイプ−１メッセージを基地局に伝送することを含み、
前記端末セットは、前記端末によってサポートされる個別のサブキャリア伝送能力に従ってグループ化される、方法。
【請求項２】
第１の端末セットは、複数のサブキャリアの同時伝送をサポートする端末を備え、第２の端末セットは、前記複数のサブキャリアの同時伝送をサポートしない端末を備える、請求項１に記載の方法。
【請求項３】
前記タイプ−１メッセージ伝送方法は、タイプ−１メッセージの伝送および／またはタイプ−１メッセージ伝送の間に使用される対応するリソースの伝送を含む、請求項１に記載の方法。
【請求項４】
前記タイプ−１メッセージは、以下：
コンテンションベースのランダムアクセスメッセージ、非コンテンションベースのランダムアクセスメッセージ、およびＭｓｇ３のうちの１つを含む、請求項３に記載の方法。
【請求項５】
前記タイプ−１メッセージが、コンテンションベースまたは非コンテンションベースのランダムアクセスメッセージであるとき、前記タイプ−１メッセージによって使用されるランダムアクセスリソースは、以下：
ランダムアクセスチャネルの時間ドメインリソースと、
前記ランダムアクセスチャネルの周波数ドメインリソースと、
前記ランダムアクセスチャネル上で伝送されるランダムアクセスシーケンスと
のうちの少なくとも１つを含む、請求項４に記載の方法。
【請求項６】
前記タイプ−１メッセージが、非コンテンションベースのランダムアクセスメッセージであり、かつ前記端末が、前記第１の端末セットに属するとき、前記端末は、前記基地局からのタイプ−２メッセージを受信することを通して、前記タイプ−１メッセージ伝送方法を得る、請求項５に記載の方法。
【請求項７】
前記タイプ−２メッセージは、非コンテンションベースのランダムアクセスメッセージのためのトリガメッセージであり、前記トリガメッセージインジケーション内の非コンテンションベースのランダムアクセスメッセージのための前記伝送方法は、複数のサブキャリア伝送または単一サブキャリア伝送である、請求項６に記載の方法。
【請求項８】
タイプ−２メッセージは、非コンテンションベースのランダムアクセスメッセージのためのトリガメッセージであり、前記トリガメッセージに対応するランダムアクセスメッセージのための伝送フォーマットは、単一サブキャリア伝送に関して、複数のサブキャリア伝送のためのものと異なる、請求項６に記載の方法。
【請求項９】
単一サブキャリア伝送および複数のサブキャリア伝送のための前記トリガメッセージインジケーションに対応するランダムアクセスメッセージの伝送フォーマット間の差異は、
前記トリガメッセージインジケーションに対応する非コンテンションベースのランダムアクセスメッセージのための前記伝送方法が、複数のサブキャリア伝送であるとき、搬送される情報のサイズは、単一サブキャリア伝送の間に搬送される情報のサイズと異なることを含む、請求項８に記載の方法。
【請求項１０】
タイプ−２メッセージは、非競合機構のランダムアクセスメッセージのリソースインジケーション情報である、請求項６に記載の方法。
【請求項１１】
タイプ−２メッセージが、前記非競合機構のランダムアクセスメッセージのリソースインジケーション情報であるとき、それによって、前記基地局によって伝送されるタイプ−２メッセージを受信することを通して、前記端末が前記タイプ−１メッセージ伝送方法を得る、プロセスは、
前記非競合機構のランダムアクセスメッセージのリソースインジケーション情報が、１つのサブキャリアが前記周波数ドメイン内に配分されることを示すとき、前記端末は、非コンテンションベースのランダムアクセスメッセージのための前記伝送方法が、単一サブキャリア伝送であることを判定することと、
前記非競合機構のランダムアクセスメッセージのリソースインジケーション情報が、複数のサブキャリアが前記周波数ドメイン内に配分されることを示すとき、前記端末は、非コンテンションベースのランダムアクセスメッセージのための前記伝送方法が、複数のサブキャリア伝送であることを判定することと
を含む、請求項１０に記載の方法。
【請求項１２】
前記タイプ−１メッセージが、Ｍｓｇ３であり、かつ前記端末が、前記第１の端末セットに属するとき、前記端末は、前記基地局によって伝送されるタイプ−２メッセージを受信することを通して、Ｍｓｇ３伝送方法を得、Ｍｓｇ３伝送方法は、単一サブキャリア伝送または複数のサブキャリア伝送を使用する、請求項３に記載の方法。
【請求項１３】
タイプ−２メッセージは、前記基地局によって前記端末に送信される、ランダムアクセス応答メッセージまたはシステム情報である、請求項１２に記載の方法。
【請求項１４】
前記端末が、前記第１の端末セットに属するとき、前記方法はさらに、
前記端末が、前記端末が属する第１の端末セットのサブセットのタイプ−１メッセージ伝送方法に従って、タイプ−１メッセージを前記基地局に伝送することを含み、
前記第１の端末セットは、前記端末ランク付け情報に従って、Ｎ個のサブセットに分割され、異なるサブセットは、異なるランクの端末を備え、Ｎは、１を上回る正の整数である、請求項１から１３のいずれかに記載の方法。
【請求項１５】
前記第１の端末セットのサブセットに対応するタイプ−１メッセージ伝送方法では、
前記第１の端末セット内の第１のサブセットは、前記Ｎ個のサブセット内の最高ランク付けされたＮ１個の端末を備え、前記第１のサブセットに対応するタイプ−１メッセージ伝送方法は、単一サブキャリア伝送であり、Ｎ１は、１を上回るまたはそれと等しく、Ｎ未満またはそれと等しい、正の整数であることを含む、請求項１４に記載の方法。
【請求項１６】
サブキャリア間隔が、複数の構成を有するとき、タイプ−１メッセージ伝送のサブキャリア間隔は、前記端末ランク付けに従って判定される、請求項１５に記載の方法。
【請求項１７】
サブキャリア間隔が、２つの構成を有するとき、前記第１のサブセット内の最高ランク付けされたＫ１個の端末に対してタイプ−１メッセージを伝送するために小サブキャリア間隔を構成し、前記残りのＮ１−Ｋ１個のランク付けされた端末に対してタイプ−１メッセージを伝送するために大サブキャリア間隔を構成し、Ｋ１は、１を上回るまたはそれと等しく、Ｎ未満またはそれと等しい、正の整数である、請求項１５に記載の方法。
【請求項１８】
サブキャリア間隔が、複数の構成を有するとき、前記端末は、前記基地局によって伝送されるタイプ−２メッセージを受信することから、タイプ−１メッセージのためのサブキャリア間隔を得る、請求項１５に記載の方法。
【請求項１９】
タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システムメッセージであり、
タイプ−１メッセージが、非コンテンションベースのランダムアクセスメッセージであるとき、タイプ−２メッセージは、非コンテンションベースのランダムアクセスメッセージのためのトリガメッセージである、請求項１８に記載の方法。
【請求項２０】
前記第１の端末セットのサブセットに対応するタイプ−１メッセージ伝送方法では、
前記第１の端末セットの第２のサブセットは、Ｎ１個のランク付けされた端末以外のＮ２個のランク付けされた端末を備え、前記第２のサブセットに対応するタイプ−１メッセージ伝送方法は、複数のサブキャリア伝送であり、Ｎ２は、正の整数であり、Ｎ２＝Ｎ−Ｎ１であることを含む、請求項１５に記載の方法。
【請求項２１】
前記第１の端末セットのサブセットに対応するタイプ−１メッセージ伝送方法では、
前記第１の端末セットの第２のサブセットは、Ｎ１個のランク付けされた端末以外のＮ２個のランク付けされた端末を備え、前記第２のサブセットに対応するタイプ−１メッセージ伝送方法は、単一サブキャリア伝送または複数のサブキャリア伝送であり、Ｎ２は、正の整数であり、Ｎ２＝Ｎ−Ｎ１であることをさらに含む、請求項１５に記載の方法。
【請求項２２】
前記第２のサブセットに対応するタイプ−１メッセージ伝送方法が、単一サブキャリアの伝送であり、かつサブキャリア間隔が、複数の構成を有するとき、前記端末ランク付けに従って、タイプ−１メッセージの前記サブキャリア間隔を判定する、請求項２１に記載の方法。
【請求項２３】
前記サブキャリア間隔が、２つの構成を有するとき、前記第２のサブセット内の最高Ｋ２個のランクを伴う端末に対してタイプ−１メッセージを伝送するために小サブキャリア間隔を構成し、前記第２のサブセット内の残りのＮ２−Ｋ２個のランク付けされた端末に対してタイプ−１メッセージを伝送するために大サブキャリア間隔を構成し、Ｋ２は、１を上回るまたはそれと等しく、Ｎ未満またはそれと等しい、正の整数である、請求項２２に記載の方法。
【請求項２４】
前記サブキャリア間隔が、複数の構成を有するとき、前記第２のサブセット内の端末は、前記基地局によって伝送されるタイプ−２メッセージを受信することを通して、タイプ−１メッセージのためのサブキャリア間隔を得る、請求項２２に記載の方法。
【請求項２５】
前記タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システムメッセージであり、
タイプ−１メッセージが、非コンテンションベースのランダムアクセスメッセージであるとき、タイプ−２メッセージは、非コンテンションベースのランダムアクセスメッセージのためのトリガメッセージである、請求項２４に記載の方法。
【請求項２６】
前記端末ランク付け情報は、以下：
カバレッジ増強ランクと、
物理チャネル反復伝送ランクと、
前記物理チャネルランク上で搬送される信号伝達またはメッセージの反復伝送と
のうちの少なくとも１つを含む、請求項１４に記載の方法。
【請求項２７】
前記端末が、前記第１の端末セットに属するとき、前記方法はさらに、
前記端末が、前記端末が属する前記端末セットのサブセットに対応する前記タイプ−１メッセージ伝送方法に従って、タイプ−１メッセージを前記基地局に伝送することを含み、
前記第１の端末セットのサブセットは、前記タイプ−１メッセージを伝送するために前記端末によって使用されるトランスポートブロックのサイズに従って、２つのサブセットに分類され、第１のサブセットを構成する端末は、タイプ−１メッセージを伝送するために大トランスポートブロックを使用し、第２のサブセットを構成する端末は、タイプ−１メッセージを伝送するために小トランスポートブロックを使用する、請求項１から１３に記載の方法。
【請求項２８】
タイプ−１メッセージは、Ｍｓｇ３を備える、請求項２７に記載の方法。
【請求項２９】
前記第１のサブセットに対応するタイプ−１メッセージ伝送方法は、複数のサブキャリア伝送であり、
前記第２のサブセットに対応するタイプ−１メッセージ伝送方法は、単一サブキャリア伝送である、請求項２８に記載の方法。
【請求項３０】
前記タイプ−１メッセージ伝送方法が、単一サブキャリア伝送であり、かつ単一サブキャリア間隔が、複数の構成を有するとき、前記第２のサブセット内の端末ランク付けに従って、タイプ−１メッセージ伝送のためのサブキャリア間隔を判定する、請求項２９に記載の方法。
【請求項３１】
前記タイプ−１メッセージ伝送方法が、単一サブキャリア伝送であり、かつ前記単一サブキャリア間隔が、２つの構成を有するとき、前記第２のサブセット内の最高ランク付けされたＭ１個の端末に対してタイプ−１メッセージの伝送のために小サブキャリア間隔を構成し、前記第２のサブセット内の残りのＭ−Ｍ１個のランク付けされた端末に対してタイプ−１メッセージの伝送のために大サブキャリア間隔を構成し、Ｍは、前記基地局によって構成されるランク付けの数または前記第２のサブセット内のランク付けの数であり、Ｍ１は、１を上回るまたはそれと等しく、Ｍ未満である、正の整数である、請求項３０に記載の方法。
【請求項３２】
前記タイプ−１メッセージ伝送方法が、単一サブキャリア伝送であり、かつ前記単一サブキャリア間隔が、複数の構成を有するとき、前記端末は、前記基地局によって伝送されるタイプ−２メッセージを受信することを通して、タイプ−１メッセージのためのサブキャリア間隔を得る、請求項３１に記載の方法。
【請求項３３】
タイプ−２メッセージは、ランダムアクセス応答メッセージである、請求項３２に記載の方法。
【請求項３４】
ランダムアクセスの間のメッセージのための伝送方法であって、
複数のサブキャリアの同時伝送をサポートする、端末が、前記端末が属する端末セットに対応するタイプ−１メッセージ伝送方法に従って、前記タイプ−１メッセージを基地局に伝送することを含み、
前記端末セットは、前記端末のランク付け情報に従って、Ｎ個の端末セットに分割され、異なる端末セットは、異なるランクの端末を備え、Ｎは、１を上回る正の整数である、方法。
【請求項３５】
前記端末が属する前記端末セットに対応するタイプ−１メッセージ伝送方法では、
第１の端末セットは、最高レベルのＮ１個のランク付けされた端末を備え、前記第１の端末セットに対応するタイプ−１メッセージ伝送方法は、単一サブキャリア伝送であり、Ｎ１は、１を上回るまたはそれと等しく、Ｎ未満またはそれと等しい、正の整数であることを含む、請求項３４に記載の方法。
【請求項３６】
サブキャリア間隔が、複数の構成を有するとき、タイプ−１メッセージ伝送のための前記サブキャリア間隔は、前記端末ランク付けに従って判定される、請求項３５に記載の方法。
【請求項３７】
サブキャリア間隔が、２つの構成を有するとき、前記第１の端末セット内の最高ランク付けされたＫ１個の端末に対してタイプ−１メッセージを伝送するために小サブキャリア間隔を構成し、前記第１の端末セット内の残りのＮ１−Ｋ１個のランク付けされた端末に対してタイプ−１メッセージを伝送するために大サブキャリア間隔を構成し、Ｋ１は、１を上回るまたはそれと等しく、Ｎ未満またはそれと等しい、正の整数である、請求項３５に記載の方法。
【請求項３８】
サブキャリア間隔が、複数の構成を有するとき、前記端末は、前記基地局によって伝送されるタイプ−２メッセージを受信することを通して、タイプ−１メッセージ伝送のためのサブキャリア間隔を得る、請求項３５に記載の方法。
【請求項３９】
タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システムメッセージであり、
タイプ−１メッセージが、非コンテンションベースのランダムアクセスメッセージであるとき、タイプ−２メッセージは、非コンテンションベースのランダムアクセスメッセージのためのトリガメッセージである、請求項３４に記載の方法。
【請求項４０】
前記端末が属する前記端末セットに対応するタイプ−１メッセージ伝送方法では、
端末は、前記端末ランク付け情報に従って第２の端末セットに分類され、前記第２の端末セットは、Ｎ１個のランク付けされた端末以外のＮ２個のランク付けされた端末を備え、前記第２の端末セットに対応するタイプ−１メッセージ伝送方法は、複数のサブキャリア伝送であり、Ｎ２は、正の整数であり、Ｎ２＝Ｎ−Ｎ１であることを含む、請求項３４に記載の方法。
【請求項４１】
前記端末が属する前記端末セットに対応するタイプ−１メッセージ伝送方法はさらに、
前記第２の端末セットを前記端末ランク付け情報に従って分類することを含み、前記第２の端末セットは、Ｎ１個のランク付けされた端末以外のＮ２個のランク付けされた端末を備え、前記第２の端末セットに対応するタイプ−１メッセージ伝送方法は、単一サブキャリア伝送または複数のサブキャリア伝送であり、Ｎ２は、正の整数であり、Ｎ２＝Ｎ−Ｎ１である、請求項４０に記載の方法。
【請求項４２】
前記第２の端末セットに対応するタイプ−１メッセージ伝送方法が、単一サブキャリア伝送であり、かつ単一サブキャリア間隔が、複数の構成を有するとき、前記端末ランク付けに従って、タイプ−１メッセージ伝送のためのサブキャリア間隔を判定する、請求項４１に記載の方法。
【請求項４３】
サブキャリア間隔が、２つの構成を有するとき、前記第２の端末セット内の最高ランク付けされたＫ２個の端末を伴う端末に対してタイプ−１メッセージを伝送するために小サブキャリア間隔を構成し、前記第２の端末セット内の残りのＮ２−Ｋ２個のランク付けされた端末に対してタイプ−１メッセージを伝送するために大サブキャリア間隔を構成し、Ｋ２は、１を上回るまたはそれと等しく、Ｎ未満またはそれと等しい、正の整数である、請求項４１に記載の方法。
【請求項４４】
サブキャリア間隔が、複数の構成を有するとき、前記第２の端末セット内の端末は、前記基地局によって伝送されるタイプ−２メッセージを受信することを通して、タイプ−１メッセージのためのサブキャリア間隔を得る、請求項４１に記載の方法。
【請求項４５】
前記タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システムメッセージであり、
タイプ−１メッセージが、非コンテンションベースのランダムアクセスメッセージであるとき、タイプ−２メッセージは、非コンテンションベースのランダムアクセスメッセージのためのトリガメッセージである、請求項４４に記載の方法。
【請求項４６】
前記端末ランク付け情報は、以下：
カバレッジ増強ランクと、
物理チャネル反復伝送ランクと、
前記物理チャネルランク上で搬送される信号伝達またはメッセージの反復伝送と
のうちの少なくとも１つを含む、請求項３４に記載の方法。
【請求項４７】
前記方法はさらに、
前記第１の端末セット内のサブセットに対応するタイプ−１メッセージ伝送方法に従って、タイプ−１メッセージを前記基地局に伝送することを含み、
全ての端末セットのサブセットは、前記タイプ−１メッセージを伝送するために前記端末によって使用されるトランスポートブロックのサイズに従って、２つのサブセットに分類され、第１のサブセットを構成する端末は、タイプ−１メッセージを伝送するために大トランスポートブロックを使用し、第２のサブセットを構成する端末は、タイプ−１メッセージを伝送するために小トランスポートブロックを使用する、請求項４６に記載の方法。
【請求項４８】
前記第１のサブセットに対応するタイプ−１メッセージ伝送方法は、複数のサブキャリア伝送であり、
前記第２のサブセットに対応するタイプ−１メッセージ伝送方法は、単一サブキャリア伝送である、請求項４７に記載の方法。
【請求項４９】
前記タイプ−１メッセージ伝送方法が、単一サブキャリア伝送であり、かつ単一サブキャリア間隔が、複数の構成を有するとき、前記第２のサブセット内の端末ランク付けに従って、タイプ−１メッセージ伝送のためのサブキャリア間隔を判定する、請求項４８に記載の方法。
【請求項５０】
前記タイプ−１メッセージ伝送方法が、単一サブキャリア伝送であり、かつ前記単一サブキャリア間隔が、２つの構成を有するとき、前記第２のサブセット内の最高ランク付けされたＭ１個の端末に対してタイプ−１メッセージの伝送のために小サブキャリア間隔を構成し、前記第２のサブセット内の残りのＭ−Ｍ１個のランク付けされた端末に対してタイプ−１メッセージの伝送のために大サブキャリア間隔を構成し、Ｍは、前記基地局によって構成されるランク付けの数または前記第２のサブセット内のランク付けの数であり、Ｍ１は、１を上回るまたはそれと等しく、Ｍ未満である、正の整数である、請求項４９に記載の方法。
【請求項５１】
前記タイプ−１メッセージ伝送方法が、単一サブキャリア伝送であり、かつ前記単一サブキャリア間隔が、複数の構成を有するとき、前記端末は、前記基地局によって伝送されるタイプ−２メッセージを受信することを通して、タイプ−１メッセージ伝送のためのサブキャリア間隔を得る、請求項４９に記載の方法。
【請求項５２】
タイプ−２メッセージは、ランダムアクセス応答メッセージである、請求項５１に記載の方法。
【請求項５３】
ランダムアクセスの間のメッセージの伝送のための方法であって、
端末が、前記端末が属する端末セットに対応するタイプ−１メッセージの伝送方法に従って、タイプ−１メッセージを基地局に伝送することを含み、
前記端末セットは、前記タイプ−１メッセージを伝送するために前記端末によって使用されるトランスポートブロックのサイズに従って、２つのサブセットに分割され、第１の端末セットを構成する端末は、タイプ−１メッセージを伝送するために大トランスポートブロックを使用し、第２の端末セットを構成する端末は、タイプ−１メッセージを伝送するために小トランスポートブロックを使用する、方法。
【請求項５４】
前記第１の端末セットに対応するタイプ−１メッセージ伝送方法は、複数のサブキャリア伝送であり、
前記第２の端末セットに対応するタイプ−１メッセージ伝送方法は、単一サブキャリア伝送である、請求項５３に記載の方法。
【請求項５５】
前記タイプ−１メッセージ伝送方法が、単一サブキャリア伝送であり、かつ単一サブキャリア間隔が、複数の構成を有するとき、前記第２の端末セット内の端末ランク付けに従って、タイプ−１メッセージ伝送のためのサブキャリア間隔を判定する、請求項５４に記載の方法。
【請求項５６】
前述の方法では、前記タイプ−１メッセージ伝送方法が、単一サブキャリア伝送であり、かつ前記単一サブキャリア間隔が、２つの構成を有するとき、前記第２の端末セット内の最高ランク付けされたＭ１個の端末に対して前記タイプ−１メッセージの伝送のために小サブキャリア間隔を構成し、前記第２の端末セット内の残りのＭ−Ｍ１個のランク付けされた端末に対して前記タイプ−１メッセージの伝送のために大サブキャリア間隔を構成し、Ｍは、前記基地局によって構成されるランク付けの数または前記第２の端末セット内のランク付けの数であり、Ｍ１は、１を上回るまたはそれと等しく、Ｍ未満である、正の整数である、請求項５５に記載の方法。
【請求項５７】
前記タイプ−１メッセージ伝送方法が、単一サブキャリア伝送であり、かつ前記単一サブキャリア間隔が、複数の構成を有するとき、前記端末は、前記基地局によって伝送されるタイプ−２メッセージを受信することを通して、タイプ−１メッセージのためのサブキャリア間隔を得る、請求項５６に記載の方法。
【請求項５８】
タイプ−２メッセージは、ランダムアクセス応答メッセージである、請求項５７に記載の方法。
【請求項５９】
ランダムアクセスの間のメッセージの伝送のための方法であって、
端末が、ランダムアクセスメッセージ伝送方法に対応するＭｓｇ３伝送方法に従って、Ｍｓｇ３を基地局に伝送することを含む、方法。
【請求項６０】
ランダムアクセスメッセージ伝送方法は、前記ランダムアクセスメッセージの伝送方法と、ランダムアクセスメッセージによって占有されるランダムアクセスリソースとを含む、請求項５９に記載の方法。
【請求項６１】
前記ランダムアクセスメッセージのための伝送方法は、単一サブキャリア伝送または複数のサブキャリア伝送を含む、請求項５９に記載の方法。
【請求項６２】
前記ランダムアクセスメッセージのための伝送方法が、単一サブキャリア伝送であるとき、前記対応するＭｓｇ３伝送方法は、単一サブキャリア伝送であり、
前記ランダムアクセスメッセージのための伝送方法が、複数のサブキャリア伝送であるとき、前記対応するＭｓｇ３伝送方法は、複数のサブキャリア伝送である、請求項６１に記載の方法。
【請求項６３】
前記Ｍｓｇ３のためのランダムアクセスリソースは、単一サブキャリア伝送に関して、複数のサブキャリア伝送のためのものと異なる、請求項６１に記載の方法。
【請求項６４】
前記ランダムアクセス方法伝送方法に対応するＭｓｇ３伝送方法は、
前記ランダムアクセスメッセージによって占有されるランダムアクセスリソースに従って、前記端末を２つのセットに分割することを含み、Ｍｓｇ３伝送方法に対応する一方のセットは、単一サブキャリアを使用し、Ｍｓｇ３伝送方法に対応する他方のセットは、複数のサブキャリアを使用する、請求項５９に記載の方法。
【請求項６５】
前記ランダムアクセスリソースは、以下：
前記ランダムアクセスチャネル上の時間ドメインリソースと、
前記ランダムアクセスチャネル上の周波数ドメインリソースと、
前記ランダムアクセスチャネル上で伝送されるランダムアクセスシーケンスと
のうちの少なくとも１つを含む、請求項６０から６４のいずれかに記載の方法。
【請求項６６】
ランダムアクセスの間のメッセージの伝送のための装置であって、
端末が属する端末セットに対応するタイプ−１メッセージ伝送方法に従って、タイプ−１メッセージを基地局に伝送するように構成されている、第１の伝送ユニットを備え、
前記端末セットは、前記端末によってサポートされるサブキャリア伝送能力に従って分類される、装置。
【請求項６７】
前記装置はさらに、前記端末が属する前記端末セットを判定するように構成されている、第１の判定ユニットを備える、請求項６６に記載の装置。
【請求項６８】
ランダムアクセスの間のメッセージの伝送のための装置であって、
端末が属する端末セットに対応するタイプ−１メッセージ伝送方法に従って、タイプ−１メッセージを基地局に伝送するように構成されている、第２の伝送ユニットを備え、
前記端末は、複数のサブキャリアの同時伝送をサポートし、
前記端末セットは、端末ランク付け情報に従って、Ｎ個の端末セットに分割され、異なる端末セットは、異なるランクの端末を備え、Ｎは、１を上回る正の整数である、装置。
【請求項６９】
前記装置はさらに、前記端末が属する前記端末セットを判定するように構成されている、第２の判定ユニットを備える、請求項６８に記載の装置。
【請求項７０】
ランダムアクセスの間のメッセージの伝送のための装置であって、
端末が属する端末セットに対応するタイプ−１メッセージ伝送方法に従って、タイプ−１メッセージを基地局に伝送するように構成されている、第３の伝送ユニットを備え、
前記端末セットは、前記タイプ−１メッセージを伝送するために前記端末によって使用されるトランスポートブロックのサイズに従って、２つのサブセットに分割され、第１の端末セットを構成する端末は、タイプ−１メッセージを伝送するために大トランスポートブロックを使用し、第２の端末セットを構成する端末は、タイプ−１メッセージを伝送するために小トランスポートブロックを使用する、装置。
【請求項７１】
前記装置はさらに、前記端末が属する前記端末セットを判定するように構成されている、第３の判定ユニットを備える、請求項７０に記載の装置。
【請求項７２】
ランダムアクセスの間のメッセージの伝送のための装置であって、
ランダムアクセスメッセージ伝送方法に対応するＭｓｇ３伝送方法に従ってＭｓｇ３を基地局に伝送するように構成されている、第４の伝送ユニットを備える、装置。
【請求項７３】
前記装置はさらに、前記ランダムアクセスメッセージ伝送方法に対応する前記Ｍｓｇ３伝送方法を判定するように構成されている、第４の判定ユニットを備える、請求項７２に記載の装置。
【請求項７４】
命令のセットを備えるコンピュータ記憶媒体であって、前記命令のセットは、実行されると、少なくとも１つのプロセッサに、ランダムアクセスの間、請求項１から３３に概略される、メッセージ伝送方法を実行させ、またはランダムアクセスの間、請求項３４から５２に概略される、メッセージ伝送方法を実行させ、またはランダムアクセスの間、請求項５３から５８に概略される、メッセージ伝送方法を実行させ、またはランダムアクセスの間、請求項５９から６５に概略される、メッセージ伝送方法を実行させる、コンピュータ記憶媒体。
【発明の詳細な説明】
【技術分野】
【０００１】
本発明は、通信の分野に関し、具体的には、ランダムアクセスの間のメッセージの伝送のための方法、装置、およびコンピュータ記憶媒体に関する。
【背景技術】
【０００２】
マシンタイプ通信（ＭＴＣ）ユーザ機器（ＵＥ）（以降、ＭＴＣ  ＵＥ（マシンツーマシン（Ｍ２Ｍ）ユーザ機器としても知られる）と称される）は、現在、モノのインターネットのための主要応用モードである。その低電力消費および低コストは、その大規模応用を確実にする、重要な要因である。
【０００３】
現在、ＭＴＣ  ＵＥコスト削減のための主な方法は、端末の受信アンテナを低減させること、端末のベースバンド処理帯域幅を低減させること、端末によってサポートされるピークレートを低減させること、または半二重モードを使用すること等を含む。ＭＴＣ  ＵＥのためのベースバンド処理帯域幅では、例えば、単一サブキャリアベースバンド処理のみをサポートすることができる端末と、複数のサブキャリアベースバンド処理をサポートすることができる端末とが存在するであろう。ＭＴＣ  ＵＥがシステムにアクセスするとき、基地局にＭＴＣ  ＵＥの能力を知らせる方法は、したがって、解決すべき重要な問題である。
【発明の概要】
【発明が解決しようとする課題】
【０００４】
現在の技術内に存在する、ランダムアクセス干渉の問題を解決するために、本実施形態は、ランダムアクセスの間のメッセージの伝送のための方法、装置、およびコンピュータ記憶媒体を提供する。本実施形態の技術的ソリューションは、以下のように実装される。
【課題を解決するための手段】
【０００５】
本実施形態は、ランダムアクセスの間のメッセージの伝送のための方法であって、
端末が、端末が属する端末セットに対応するタイプ−１伝送方法に従って、タイプ−１メッセージを基地局に伝送することを含み、
端末セットは、端末によってサポートされるサブキャリア伝送能力によって判定される、方法を提供する。
【０００６】
前述の方法では、第１の端末セットは、複数のサブキャリアの同時伝送をサポートする端末を備え、第２の端末セットは、複数のサブキャリアの同時伝送をサポートしない端末を備える。
【０００７】
前述の方法では、タイプ−１伝送方法は、タイプ−１メッセージの伝送および／またはタイプ−１メッセージによって使用されるリソースの伝送を含む。
【０００８】
前述の方法では、タイプ−１メッセージは、以下：コンテンションベースのランダムアクセスメッセージ、メッセージ３（Ｍｓｇ３）、および非コンテンションベースのランダムアクセスメッセージのうちの１つを含む。
【０００９】
前述の方法では、タイプ−１メッセージが、コンテンションベースのランダムアクセスメッセージまたは非コンテンションベースのランダムアクセスメッセージであるとき、タイプ−１メッセージによって使用されるランダムアクセスリソースは、以下：
ランダムアクセスチャネルの時間ドメインリソースと、
ランダムアクセスチャネルの周波数ドメインリソースと、
ランダムアクセスチャネル上で伝送されるランダムアクセスシーケンスと
のうちの少なくとも１つを含む。
【００１０】
前述の方法では、タイプ−１メッセージが、非コンテンションベースのランダムアクセスメッセージであり、かつ端末が、第１の端末セットに属するとき、端末は、基地局によって伝送されるタイプ−２メッセージを受信することによって、タイプ−１伝送方法を得る。
【００１１】
前述の方法では、タイプ−２メッセージは、非競合機構を用いたランダムアクセスメッセージのためのトリガメッセージであり、トリガメッセージによって信号伝達される非コンテンションベースのランダムアクセスメッセージのための伝送方法は、複数のサブキャリア伝送または単一サブキャリア伝送である。
【００１２】
前述の方法では、タイプ−２メッセージは、非競合機構を用いたランダムアクセスメッセージのためのトリガメッセージであり、トリガメッセージに対応する非コンテンションベースのランダムアクセスメッセージのための伝送方法が、複数のサブキャリア伝送であるとき、伝送フォーマットは、トリガメッセージに対応する非コンテンションベースのランダムアクセスメッセージのための伝送方法が、単一サブキャリア伝送であるときに使用される伝送フォーマットと異なる。
【００１３】
前述の方法では、２つの伝送フォーマット間の差異は、トリガメッセージに対応する非コンテンションベースのランダムアクセスメッセージのための伝送方法が、複数のサブキャリア伝送であるとき、搬送される情報のサイズは、単一サブキャリア伝送を使用して搬送される情報のサイズと異なることを含む。
【００１４】
前述の方法では、タイプ−２メッセージは、非コンテンションベースのランダムアクセスメッセージのためのリソースインジケーション情報である。
【００１５】
前述の方法では、タイプ−２メッセージが、非コンテンションベースのランダムアクセスメッセージのためのリソースインジケーション情報であるとき、端末は、基地局によって伝送されるタイプ−２メッセージを受信することを通して、タイプ−１伝送方法を得、それは、
非競合機構のランダムアクセスメッセージのリソースインジケーション情報が、１つのサブキャリアが周波数ドメイン内に配分されることを示すとき、端末は、非競合機構のランダムアクセスメッセージのための伝送方法が、単一サブキャリア伝送であることを判定することと、
非競合機構のランダムアクセスメッセージのリソースインジケーション情報が、複数のサブキャリアが周波数ドメイン内に配分されることを示すとき、端末は、非競合機構のランダムアクセスメッセージのための伝送方法が、複数のサブキャリア伝送であることを判定することと
を含む。
【００１６】
前述の方法では、タイプ−１メッセージが、Ｍｓｇ３であり、かつ端末が、第１の端末セットに属するとき、端末は、基地局によって伝送されるタイプ−２メッセージを受信することを通して、Ｍｓｇ３伝送方法を得、Ｍｓｇ３伝送方法は、単一サブキャリア伝送または複数のサブキャリア伝送を使用する。
【００１７】
代替として、前述の方法では、タイプ−２メッセージは、基地局から端末に送信される、ランダムアクセス応答メッセージまたはシステム情報である。
【００１８】
前述の方法では、端末が、第１の端末セットに属するとき、本方法はさらに、
端末が、第１の端末セットのサブセットに対応するタイプ−１伝送方法に従って、タイプ−１メッセージを伝送することを含み、
第１の端末セットは、端末のランク付け情報に従って、Ｎ個のサブセットに分割され、異なるサブセットは、異なるランクの端末を備え、Ｎは、１を上回る正の整数である。
【００１９】
前述の方法では、第１の端末セットのサブセットに対応するタイプ−１伝送方法は、
第１の端末セット内の第１のサブセットは、Ｎ個のサブセット内の最高ランク付けされたＮ１個の端末を備え、第１のサブセットに対応するタイプ−１メッセージ伝送方法は、単一サブキャリア伝送であり、Ｎ１は、１を上回るまたはそれと等しく、Ｎ未満またはそれと等しい、正の整数である、ことを含む。
【００２０】
前述の方法では、サブキャリア間隔が、複数の構成を有するとき、タイプ−１メッセージのサブキャリア間隔は、端末ランク付けに従って判定される。
【００２１】
前述の方法では、サブキャリア間隔が、２つの構成を有するとき、第１のサブセット内の最高ランク付けされたＫ１個の端末に対してタイプ−１メッセージを伝送するために小サブキャリア間隔を構成し、残りのＮ１−Ｋ１個のランク付けされた端末に対してタイプ−１メッセージを伝送するために大サブキャリア間隔を構成し、Ｋ１は、１を上回るまたはそれと等しく、Ｎ未満またはそれと等しい、正の整数である。
【００２２】
前述の方法では、サブキャリア間隔が、複数の構成を有するとき、端末は、基地局によって伝送されるタイプ−２メッセージを受信することを通して、タイプ−１メッセージのためのサブキャリア間隔を得る。
【００２３】
前述の方法では、タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システム情報であり、
タイプ−１メッセージが、非コンテンションベースのランダムアクセスメッセージであるとき、タイプ−２メッセージは、非コンテンションベースのランダムアクセスメッセージのためのトリガメッセージである。
【００２４】
前述の方法では、第１の端末セットのサブセットに対応するタイプ−１メッセージ伝送方法は、
第１の端末セットの第２のサブセットは、Ｎ１個のランク付けされた端末以外のＮ２個のランク付けされた端末を備え、第２のサブセットに対応するタイプ−１伝送方法は、複数のサブキャリア伝送であり、Ｎ２は、正の整数であり、Ｎ２＝Ｎ−Ｎ１である、ことを含む。
【００２５】
前述の方法では、第２のサブセットに対応するタイプ−１メッセージのための伝送方法が、単一サブキャリア伝送であり、かつサブキャリア間隔が、複数の構成を有するとき、端末ランク付けに従って、タイプ−１メッセージ伝送のサブキャリア間隔を判定する。
【００２６】
前述の方法では、サブキャリア間隔が、２つの構成を有するとき、第２のサブセット内の最高ランク付けされたＫ２個の端末に対してタイプ−１メッセージを伝送するために小サブキャリア間隔を構成し、第２のサブセット内の残りのＮ２−Ｋ２個のランク付けされた端末に対してタイプ−１メッセージを伝送するために大サブキャリア間隔を構成し、Ｋ２は、１を上回るまたはそれと等しく、Ｎ未満またはそれと等しい、正の整数である。
【００２７】
前述の方法では、サブキャリア間隔が、複数の構成を有するとき、第２のサブセット内の端末は、基地局によって伝送されるタイプ−２メッセージを受信することを通して、タイプ−１メッセージのためのサブキャリア間隔を得る。
【００２８】
前述の方法では、タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システムメッセージであり、
タイプ−１メッセージが、非コンテンションベースのランダムアクセスメッセージであるとき、タイプ−２メッセージは、非コンテンションベースのランダムアクセスメッセージのためのトリガメッセージである。
【００２９】
前述の方法では、端末ランク付け情報は、以下：
カバレッジ増強ランクと、
物理チャネル反復伝送ランクと、
物理チャネルランク上で搬送される信号伝達またはメッセージの反復伝送と
のうちの少なくとも１つを含む。
【００３０】
端末が、第１の端末セットに属するとき、前述の方法はさらに、
端末が、第１の端末セット内のサブセットに対応するタイプ−１伝送方法に従って、タイプ−１メッセージを基地局に伝送することを含み、
第１の端末セットのサブセットは、タイプ−１メッセージを伝送するために端末によって使用されるトランスポートブロックのサイズに従って、２つのサブセットに分類され、第１のサブセットを構成する端末は、タイプ−１メッセージを伝送するために大トランスポートブロックを使用し、第２のサブセットを構成する端末は、タイプ−１メッセージを伝送するために小トランスポートブロックを使用する。
【００３１】
前述の方法では、タイプ−１メッセージは、Ｍｓｇ３を備える。
【００３２】
前述の方法では、第１のサブセットに対応するタイプ−１メッセージ伝送方法は、複数のサブキャリア伝送であり、第２のサブセットに対応するタイプ−１メッセージ伝送方法は、単一サブキャリア伝送である。
【００３３】
前述の方法では、タイプ−１メッセージのための伝送方法が、単一サブキャリア伝送であり、かつ単一サブキャリア間隔が、複数の構成を有するとき、第２のサブセット内の端末ランク付けに従って、タイプ−１メッセージのサブキャリア間隔を判定する。
【００３４】
前述の方法では、タイプ−１メッセージのための伝送方法が、単一サブキャリア伝送であり、かつ単一サブキャリア間隔が、２つの構成を有するとき、第２のサブセット内の最高ランク付けされたＭ１個の端末に対してタイプ−１メッセージの伝送のために小サブキャリア間隔を構成し、第２のサブセット内の残りのＭ−Ｍ１個のランク付けされた端末に対してタイプ−１メッセージの伝送のために大サブキャリア間隔を構成し、Ｍは、基地局によって構成されるランク付けの数または第２のサブセット内のランク付けの数であり、Ｍ１は、１を上回るまたはそれと等しく、Ｍ未満である、正の整数である。
【００３５】
前述の方法では、タイプ−１メッセージのための伝送方法が、単一サブキャリア伝送であり、かつ単一サブキャリア間隔が、複数の構成を有するとき、端末は、基地局によって伝送されるタイプ−２メッセージを受信することを通して、タイプ−１メッセージのためのサブキャリア間隔を得る。
【００３６】
前述の方法では、タイプ−２メッセージは、ランダムアクセス応答メッセージである。
【００３７】
本実施形態はまた、ランダムアクセスの間のメッセージの伝送のための方法であって、
複数のサブキャリアの同時伝送をサポートする端末が、端末が属する端末セットに対応するタイプ−１メッセージ伝送方法に従って、タイプ−１メッセージを基地局に伝送することを含み、
端末セットは、端末ランク付け情報に従って、Ｎ個の端末セットに分割され、異なる端末セットは、異なるようにランク付けされた端末を備え、Ｎは、１を上回る正の整数である、方法を提供する。
【００３８】
端末が属する端末セットに対応するタイプ−１メッセージ伝送方法である、前述の方法では、
端末が、端末ランク付け情報に基づいて、第１の端末セットに分割され、第１の端末セットは、最高ランク付けされたＮ１個の端末を備え、第１の端末セットに対応するタイプ−１メッセージのための伝送方法は、単一サブキャリア伝送であり、Ｎ１は、１を上回るまたはそれと等しく、Ｎ未満またはそれと等しい、正の整数である。
【００３９】
前述の方法では、サブキャリア間隔が、複数の構成を有するとき、端末ランク付けに基づいて、タイプ−１メッセージ伝送のサブキャリア間隔を判定する。
【００４０】
前述の方法では、サブキャリア間隔が、２つの構成を有するとき、第１の端末セット内の最高ランク付けされたＫ１個の端末に対してタイプ−１メッセージを伝送するために小サブキャリア間隔を構成し、第１の端末セット内の残りのＮ１−Ｋ１個のランク付けされた端末に対してタイプ−１メッセージを伝送するために大サブキャリア間隔を構成し、Ｋは、１を上回るまたはそれと等しく、Ｎ未満またはそれと等しい、正の整数である。
【００４１】
前述の方法では、サブキャリア間隔が、複数の構成を有するとき、端末は、基地局によって伝送されるタイプ−２メッセージを受信することを通して、タイプ−１メッセージのためのサブキャリア間隔を得る。
【００４２】
前述の方法では、タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システム情報であり、
タイプ−１メッセージが、非コンテンションベースのランダムアクセスメッセージであるとき、タイプ−２メッセージは、非コンテンションベースのランダムアクセスメッセージのためのトリガメッセージである。
【００４３】
前述の方法では、端末が属する端末セットに対応するタイプ−１メッセージ伝送方法は、
端末が、端末ランク付け情報に基づいて、第２の端末セットに分割され、第２の端末セットは、Ｎ１個のランク付けされた端末以外のＮ２個のランク付けされた端末を備え、第２の端末セットに対応するタイプ−１メッセージ伝送方法は、複数のサブキャリア伝送であり、Ｎ２は、正の整数であり、Ｎ２＝Ｎ−Ｎ１である、ことを含む。
【００４４】
前述の方法では、端末が属する端末セットに対応するタイプ−１メッセージ伝送方法はさらに、
端末が、端末ランク付け情報に基づいて、第２の端末セットに分割され、第２の端末セットは、Ｎ１個のランク付けされた端末以外のＮ２個のランク付けされた端末を備え、第２の端末セットに対応するタイプ−１メッセージ伝送方法は、単一サブキャリア伝送または複数のサブキャリア伝送であり、Ｎ２は、正の整数であり、Ｎ２＝Ｎ−Ｎ１である、ことを含む。
【００４５】
前述の方法では、第２の端末セットに対応するタイプ−１メッセージ伝送方法が、単一サブキャリア伝送であり、かつ単一サブキャリア間隔が、複数の構成を有するとき、端末ランク付けに基づいて、タイプ−１メッセージのためのサブキャリア間隔を判定する。
【００４６】
前述の方法では、サブキャリア間隔が、２つの構成を有するとき、第２の端末セット内の最高ランク付けされたＫ２個の端末に対してタイプ−１メッセージを伝送するために小サブキャリア間隔を構成し、第２の端末セット内の残りのＮ２−Ｋ２個のランク付けされた間隔に対してタイプ−１メッセージを伝送するために大サブキャリア間隔を構成し、Ｋ２は、１を上回るまたはそれと等しく、Ｎ未満またはそれと等しい、正の整数である。
【００４７】
前述の方法では、サブキャリア間隔が、複数の構成を有するとき、第２の端末セット内の端末は、基地局によって送信されるタイプ−２情報を受信することを通して、タイプ−１メッセージのサブキャリア間隔を得る。
【００４８】
前述の方法では、タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システム情報であり、
タイプ−１メッセージが、非コンテンションベースのランダムアクセスメッセージであるとき、タイプ２メッセージは、非コンテンションベースのランダムアクセスメッセージのためのトリガメッセージである。
【００４９】
前述の方法では、端末ランク付け情報は、以下：
カバレッジ増強ランクと、
物理チャネル反復伝送ランクと、
物理チャネルランク上で搬送される信号伝達またはメッセージの反復伝送と
のうちの少なくとも１つを含む。
【００５０】
前述の方法はさらに、
端末が、第１の端末セット内のサブセットに対応するタイプ−１メッセージ伝送方法に従って、タイプ−１メッセージを基地局に伝送することを含み、
全ての端末セットのサブセットは、タイプ−１メッセージを伝送するために端末によって使用されるトランスポートブロックのサイズに従って、２つのサブセットに分類され、第１のサブセットを構成する端末は、タイプ−１メッセージを伝送するために大トランスポートブロックを使用し、第２のサブセットを構成する端末は、タイプ−１メッセージを伝送するために小トランスポートブロックを使用する。
【００５１】
前述の方法では、第１のサブセットに対応するタイプ−１メッセージ伝送方法は、複数のサブキャリア伝送であり、第２のサブセットに対応するタイプ−１メッセージ伝送方法は、単一サブキャリア伝送である。
【００５２】
前述の方法では、タイプ−１メッセージ伝送方法が、単一サブキャリア伝送であり、かつ単一サブキャリア間隔が、複数の構成を有するとき、第２のサブセット内の端末ランク付けに従って、タイプ−１メッセージのサブキャリア間隔を判定する。
【００５３】
前述の方法では、タイプ−１メッセージ伝送方法が、単一サブキャリア伝送であり、かつ単一サブキャリア間隔が、２つの構成を有するとき、第２のサブセット内の最高ランク付けされたＭ１個の端末に対してタイプ−１メッセージの伝送のために小サブキャリア間隔を構成し、第２のサブセット内の残りのＭ−Ｍ１個の端末に対してタイプ−１メッセージの伝送のために大サブキャリア間隔を構成し、Ｍは、基地局によって構成されるランク付けの数または第２のサブセット内のランク付けの数であり、Ｍ１は、１を上回るまたはそれと等しく、Ｍ未満である、正の整数である。
【００５４】
前述の方法では、タイプ−１メッセージ伝送方法が、単一サブキャリア伝送であり、かつ単一サブキャリア間隔が、複数の構成を有するとき、端末は、基地局によって伝送されるタイプ−２メッセージを受信することを通して、タイプ−１メッセージのサブキャリア間隔を得る。
【００５５】
前述の方法では、タイプ−２メッセージは、ランダムアクセス応答メッセージである。
【００５６】
本実施形態はまた、ランダムアクセスの間のメッセージの伝送のための方法であって、
端末が、端末が属する端末セットに対応するタイプ−１メッセージ伝送方法に従って、タイプ−１メッセージを基地局に伝送することを含み、
端末セットは、タイプ−１メッセージを伝送するために端末によって使用されるトランスポートブロックのサイズに従って、２つのサブセットに分割され、第１のサブセットを構成する端末は、タイプ−１メッセージを伝送するために大トランスポートブロックを使用し、第２のサブセットを構成する端末は、タイプ−１メッセージを伝送するために小トランスポートブロックを使用する、方法を提供する。
【００５７】
前述の方法では、第１の端末セットに対応するタイプ−１メッセージ伝送方法は、複数のサブキャリア伝送であり、第２の端末セットに対応するタイプ−１メッセージ伝送方法は、単一サブキャリア伝送である。
【００５８】
前述の方法では、タイプ−１メッセージ伝送方法が、単一サブキャリア伝送であり、かつ単一サブキャリア間隔が、複数の構成を有するとき、第２の端末セット内の端末ランク付けに従って、タイプ−１メッセージのサブキャリア間隔を判定する。
【００５９】
前述の方法では、タイプ−１メッセージ伝送方法が、単一サブキャリア伝送であり、かつ単一サブキャリア間隔が、２つの構成を有するとき、第２の端末セット内の最高ランク付けされたＭ１個の端末に対してタイプ−１メッセージの伝送のために小サブキャリア間隔を構成し、第２の端末内の残りのＭ−Ｍ１個のランク付けされた端末に対してタイプ−１メッセージの伝送のために大サブキャリア間隔を構成し、Ｍは、基地局によって構成されるランク付けの数または第２のサブセット内のランク付けの数であり、Ｍ１は、１を上回るまたはそれと等しく、Ｍ未満である、正の整数である。
【００６０】
前述の方法では、タイプ−１メッセージ伝送方法が、単一サブキャリア伝送であり、かつ単一サブキャリア間隔が、複数の構成を有するとき、端末は、基地局によって伝送されるタイプ−２メッセージを受信することを通して、タイプ−１メッセージのサブキャリア間隔を得る。
【００６１】
前述の方法では、タイプ−２メッセージは、ランダムアクセス応答メッセージである。
【００６２】
本実施形態はまた、ランダムアクセスの間のメッセージの伝送のための方法であって、
端末が、ランダムアクセスメッセージ伝送方法に対応するＭｓｇ３伝送方法に従って、Ｍｓｇ３を基地局に伝送することを含む、方法を提供する。
【００６３】
前述の方法では、ランダムアクセスメッセージ伝送方法は、ランダムアクセスメッセージの伝送方法と、ランダムアクセスメッセージによって占有されるランダムアクセスリソースとを含む。
【００６４】
前述の方法では、ランダムアクセスメッセージのための伝送方法は、単一サブキャリア伝送または複数のサブキャリア伝送を含む。
【００６５】
前述の方法では、ランダムアクセスメッセージのための伝送方法が、単一サブキャリア伝送であるとき、対応するＭｓｇ３伝送方法は、単一サブキャリア伝送であり、ランダムアクセスメッセージのための伝送方法が、複数のサブキャリア伝送であるとき、対応するＭｓｇ３伝送方法は、複数のサブキャリア伝送である。
【００６６】
前述の方法では、ランダムアクセスメッセージのための伝送方法が、単一サブキャリア伝送であるとき、対応するＭｓｇ３伝送のランダムアクセスリソースは、複数のサブキャリアが伝送されるときに使用される対応するＭｓｇ３伝送のランダムアクセスリソースと異なる。
【００６７】
前述の方法では、ランダムアクセスメッセージ伝送方法に対応するＭｓｇ３伝送方法は、ランダムアクセスメッセージによって占有されるランダムアクセスリソースに従って、端末を２つのセットに分割することを含み、Ｍｓｇ３伝送方法に対応する一方のセットは、単一サブキャリアを使用し、Ｍｓｇ３伝送方法に対応する他方のセットは、複数のサブキャリアを使用する。
【００６８】
前述の方法では、ランダムアクセスリソースは、以下：
ランダムアクセスチャネル上の時間ドメインリソースと、
ランダムアクセスチャネル上の周波数ドメインリソースと、
ランダムアクセスチャネル上で伝送されるランダムアクセスシーケンスと
のうちの少なくとも１つを含む。
【００６９】
本実施形態はまた、ランダムアクセスの間のメッセージの伝送のための装置であって、
端末が属する端末セットに対応するタイプ−１メッセージ伝送方法に従って、タイプ−１メッセージを基地局に伝送するように構成される、第１の伝送ユニットを備え、
端末セットは、端末のサブキャリア伝送能力に従って分類される、装置を提供する。
【００７０】
本装置はさらに、端末が属する端末セットを判定するように構成される、第１の判定ユニットを備える。
【００７１】
本実施形態はまた、ランダムアクセスの間のメッセージの伝送のための装置であって、
端末が属する端末セットに対応するタイプ−１メッセージ伝送方法に従って、タイプ−１メッセージを基地局に伝送するように構成される、第２の伝送ユニットを備え、
端末は、複数のサブキャリアの同時伝送をサポートし、
端末セットは、端末ランク付け情報に従って、Ｎ個の端末セットに分割され、異なる端末セットは、異なるランクの端末を備え、Ｎは、１を上回る正の整数である、装置を提供する。
【００７２】
本装置はさらに、端末が属する端末セットを判定するように構成される、第２の判定ユニットを備える。
【００７３】
本実施形態はまた、ランダムアクセスの間のメッセージの伝送のための装置であって、
端末が属する端末セットに対応するタイプ−１メッセージ伝送方法に従って、タイプ−１メッセージを基地局に伝送するように構成される、第３の伝送ユニットを備え、
端末セットは、タイプ−１メッセージを伝送するために端末によって使用されるトランスポートブロックのサイズに従って、２つのサブセットに分割され、第１のサブセットを構成する端末は、タイプ−１メッセージを伝送するために大トランスポートブロックを使用し、第２のサブセットを構成する端末は、タイプ−１メッセージを伝送するために小トランスポートブロックを使用する、装置を提供する。
【００７４】
本装置はさらに、端末が属する端末セットを判定するように構成される、第３の判定ユニットを備える。
【００７５】
本実施形態はまた、ランダムアクセスの間のメッセージの伝送のための装置であって、
ランダムアクセスメッセージ伝送方法に対応するＭｓｇ３伝送方法に従ってＭｓｇ３を基地局に伝送するように構成される、第４の伝送ユニットを備える、装置を提供する。
【００７６】
本装置はさらに、ランダムアクセスメッセージ伝送方法に対応するＭｓｇ３伝送方法を判定するように構成される、第４の判定ユニットを備える。
【００７７】
本実施形態はまた、命令のセットを備えるコンピュータ記憶媒体であって、命令のセットは、実行されると、少なくとも１つのプロセッサに、ランダムアクセスの間、上記に概略されたメッセージ伝送方法を実行させる、コンピュータ記憶媒体を提供する。
【００７８】
本実施形態によって提供される技術的ソリューションの実装は、特に、ＭＴＣ  ＵＥのためのランダムアクセスプロセスに関する、ランダムアクセス干渉の問題をより効果的に解決する。
【発明を実施するための形態】
【００７９】
本実施形態の技術的ソリューションおよび利点がより明白となるために、本書は、以降、本実施形態の具体的実施例を詳細に説明するであろう。本発明の実施形態およびその特徴は、矛盾しない様式で組み合わせられることができることに留意されたい。
【００８０】
（実施形態１）
無線システム上のアップリンク同期をサポートするために、端末は、物理ランダムアクセスチャネル（ＰＲＡＣＨ）上でランダムアクセス信号伝達（メッセージ１（Ｍｓｇ１）とも呼ばれる）を伝送しなければならず、無線システムは、ランダムアクセス信号伝達のための多くの種類の伝送フォーマット（プリアンブルフォーマットとも呼ばれる）のために構成されることができる。基地局は、プリアンブルフォーマットのための構成情報を選定し、それをＵＥに送信するであろう。ＵＥが、本システムによってサポートされるプリアンブルフォーマットを得た後、基地局によって構成されるランダムアクセスシーケンスのセットからシーケンスをランダムに選択し、プリアンブルフォーマットに従って、ランダムアクセス信号（Ｍｓｇ１）を生成するであろう。端末は、ＰＲＡＣＨ上でＭｓｇ１を伝送するであろう。
【００８１】
いったん基地局が、ＰＲＡＣＨ上で端末によって送信されるランダムアクセス信号を検出すると、基地局は、ランダムアクセス応答（ＲＡＲ；メッセージ２（Ｍｓｇ２）としても知られる）を端末に伝送するであろう。
【００８２】
端末は、ＲＡＲを受信し、アップリンクタイミング同期情報およびアップリンクリソースを得る。しかし、本時点において、基地局がＲＡＲを端末自体または他の端末に伝送するかどうかを判定することは、異なる端末が、同一時間周波数リソース（本状況は、ランダムアクセス干渉と呼ばれる）上で同一ランダムアクセスリソースを伝送することが可能性として考えられるため、不可能である。このため、端末は、ＲＡＲ内に配分されるアップリンクリソース上でＭｓｇ３を伝送し、ランダムアクセス干渉を解消しなければならない。Ｍｓｇ３は、アップリンクスケジューリングに基づき、ハイブリッド自動反復要求（ＨＡＲＱ）機構を使用する、伝送される第１のメッセージである。初期ランダムアクセスの間、Ｍｓｇ３は、異なる端末間を区別するために使用される、具体的端末ＩＤを搬送するであろう。
【００８３】
Ｍｓｇ３は、単一サブキャリアまたは複数のサブキャリアの伝送をサポートことができる。また、ランダムアクセスリソース（ランダムアクセスチャネルによって占有される時間周波数リソースおよび／またはランダムアクセスシーケンスセット）を端末セットに分割することができる。例えば、複数のサブキャリア上でＭｓｇ３を伝送する端末は、ランダムアクセスリソースのセットを選択し、ランダムアクセス信号伝達を伝送する。単一サブキャリア上でＭｓｇ３を伝送する端末は、異なるランダムアクセスリソースのセットを選定し、ランダムアクセス信号伝達を伝送する。
【００８４】
基地局が、端末によって伝送されるＭｓｇ３を受信した後、基地局は、メッセージ４（Ｍｓｇ４）を伝送し、本種類のランダムアクセス矛盾を解消し、Ｍｓｇ４は、Ｍｓｇ３によって伝送される端末の指定ＩＤを搬送するであろう。端末が、基地局によって伝送されたＭｓｇ４を受信し、その中の指定ＩＤが、Ｍｓｇ３を介して基地局に以前に報告されたその独自の指定ＩＤに合致する場合、端末は、本ランダムアクセス干渉を打破したと決定し、ランダムアクセスは、成功する。そうでなければ、端末は、本アクセスラウンドが失敗したと決定し、ランダムアクセスプロシージャを反復する。加えて、端末のカバレッジ増強ランクが高いほど、カバレッジ増強要件は、より高くなり、物理チャネル上での反復伝送の回数が多くなり、したがって、端末は、端末強度に従って、可変ランクのセットに分類されることができ、異なるメッセージ伝送方法が、構成されることができる。
【００８５】
このように、本実施形態は、ランダムアクセスの間のメッセージ伝送のための方法を提供し、主に、以下の動作を伴う。
端末は、端末が属する端末セットに対応するタイプ−１メッセージ伝送方法に従って、タイプ−１メッセージを端末に伝送することができる。
端末セットは、サブキャリア伝送をサポートする端末の能力に基づいて、分類されることができる。例えば、第１の端末セットは、複数のサブキャリアの同時伝送をサポートすることができる端末を備え、第２の端末セットは、複数のサブキャリアの同時伝送をサポートしない端末を備える。
タイプ−１メッセージ伝送方法は、タイプ−１メッセージ伝送方法および／またはタイプ−１メッセージによって使用されるリソースの伝送を含む。本実施形態では、タイプ−１メッセージ伝送方法は、単一サブキャリア伝送および複数のサブキャリア伝送を含む。
【００８６】
タイプ−１メッセージは、コンテンションベースのランダムアクセスメッセージ、ならびにＭｓｇ３、および非コンテンションベースのランダムアクセスメッセージを含む。
【００８７】
例えば、競合または非競合メッセージを伴うランダムアクセスメッセージであるとき、典型的にタイプ−１メッセージによって使用されるランダムアクセスリソースは、以下：
ランダムアクセスチャネル上の時間ドメインリソースと、
ランダムアクセスチャネル上の周波数ドメインリソースと、
ランダムアクセスチャネル上で伝送されるランダムアクセスシーケンスと
のうちの少なくとも１つを含む。
【００８８】
第１の端末セット内の端末は、複数のサブキャリアの同時伝送をサポートするため、タイプ−１メッセージを伝送するとき、単一サブキャリア伝送方法または複数のサブキャリア伝送方法を使用するかどうかのさらなる判定が行われなければならないことに留意されたい。
【００８９】
以下は、端末が異なるタイプ−１メッセージのために使用するであろう、伝送方法のタイプの実施例である。
【００９０】
例えば、第１の端末セット内の端末に関して、伝送される必要があるタイプ−１メッセージが、非競合機構のランダムアクセスメッセージである場合、端末は、基地局によって送信されるタイプ−２メッセージを受信することを通して、タイプ−１メッセージを得、単一サブキャリア伝送方法または複数のサブキャリア伝送方法のいずれかを採用することができる。タイプ−２メッセージは、非コンテンションベースのランダムアクセスメッセージのためのトリガメッセージまたはリソース信号伝達情報であることができる。
【００９１】
タイプ−２メッセージが、非コンテンションベースのランダムアクセスメッセージのためのトリガメッセージであるとき、伝送方法は、直接／間接的に、トリガメッセージによって示されることができる。
【００９２】
例えば、トリガメッセージ内で搬送される情報は、ランダムアクセスメッセージ伝送方法が、複数のサブキャリア伝送または単一サブキャリア伝送であることを示すことができる。また、トリガメッセージの異なる伝送フォーマットからの伝送方法を示すことが可能であり、すなわち、トリガメッセージが、あるタイプの伝送フォーマットを使用するとき、非コンテンションベースのランダムアクセスメッセージのための伝送方法が複数のサブキャリア伝送であることの対応するインジケーションが存在する。トリガメッセージが、異なるフォーマットを使用する場合、非コンテンションベースのランダムアクセスメッセージのための伝送方法が、単一サブキャリア伝送であることの対応するインジケーションが存在する。
【００９３】
または、トリガインジケーションに対応する非コンテンションベースのランダムアクセスメッセージのための伝送方法が、複数のサブキャリア伝送であるとき、搬送される情報のサイズは、単一サブキャリア伝送の間に搬送される情報のサイズと異なる。
【００９４】
タイプ−２メッセージが、非コンテンションベースのランダムアクセスメッセージのリソースインジケーション情報であるとき、具体的信号伝達は、以下の方法を使用することができる（以下の説明は、実施例にすぎず、本実施形態を限定する役割を果たすものではない）。
非競合機構のランダムアクセスメッセージのリソースインジケーション情報が、１つのサブキャリアが周波数ドメイン内に配分されることを示すとき、端末は、非コンテンションベースのランダムアクセスメッセージのための伝送方法が、単一サブキャリア伝送であることを判定する。
非競合機構のランダムアクセスメッセージのリソースインジケーション情報が、複数のサブキャリアが周波数ドメイン内に配分されることを示すとき、端末は、非コンテンションベースのランダムアクセスメッセージのための伝送方法が、複数のサブキャリア伝送であることを判定する。
【００９５】
以下は、タイプ−１メッセージがＭｓｇ３であるときの実施例を使用して、第１の端末セット内の端末が伝送方法を判定する方法を説明する。例えば、基地局は、タイプ−２メッセージを発行し、端末に、Ｍｓｇ３伝送方法をアラートし、Ｍｓｇ３伝送方法は、単一サブキャリア伝送または複数のサブキャリア伝送を使用する。
【００９６】
本時点において、タイプ−２メッセージは、基地局から端末に送信される、ランダムアクセス応答メッセージまたはシステム情報である。
【００９７】
端末が上記に概略された原理に従って分類された後、第１の端末セットに属する端末は、複数のサブキャリアの同時伝送をサポートすることに留意することが重要である。したがって、第１の端末のセットは、端末が単一サブキャリア伝送方法または複数のサブキャリア伝送方法を使用するかどうかに基づいて、サブセットにさらに分類されることができる。
【００９８】
本分類は、端末ランク付けまたはメッセージ伝送の間に使用されるトランスポートブロックのサイズに従って行われることができる。
【００９９】
最初に、端末のランク付けに基づいてサブセットを作成するためのスキームが、説明される。
【０１００】
端末が、第１の端末セットのサブセットに対応するタイプ−１メッセージ伝送方法に従って、タイプ−１メッセージを基地局に伝送する。
第１の端末セットのサブセットは、端末のランク付け情報に従って、Ｎ個のサブセットに分類され。異なるサブセットは、異なるランクの端末を備え、Ｎは、１を上回る正の整数である。
【０１０１】
例えば、第１の端末セット内の第１のサブセットは、Ｎ個のサブセット内の最高ランク付けされたＮ１個の端末を備え、第１のサブセットに対応するタイプ−１メッセージ伝送方法は、単一サブキャリア伝送であり、Ｎ１は、１を上回るまたはそれと等しく、Ｎ未満またはそれと等しい、正の整数である。
【０１０２】
第１の端末セットの第２のサブセットは、Ｎ１個のランク付けされた端末以外のＮ２個のランク付けされた端末を備え、第２のサブセットに対応するタイプ−１メッセージ伝送方法は、複数のサブキャリア伝送であり、Ｎ２は、正の整数であり、Ｎ２＝Ｎ−Ｎ１である。
【０１０３】
第１のサブセット内の端末に関して、サブキャリア間隔が、複数の構成を有する場合、端末ランク付けに従って、タイプ−１メッセージのサブキャリア間隔を判定する。
【０１０４】
サブキャリア間隔が、２つの構成を有するとき、第１のサブセット内の最高Ｋ１個のランクを伴う端末に対してタイプ−１メッセージを伝送するために小サブキャリア間隔を構成し、第１のサブセット内の残りのＮ１−Ｋ１個のランク端末に対してタイプ−１メッセージを伝送するために大サブキャリア間隔を構成し、Ｋ１は、１を上回るまたはそれと等しく、Ｎ未満またはそれと等しい、正の整数である。
【０１０５】
サブキャリア間隔が、複数の構成を有するとき、基地局は、タイプ−２メッセージを伝送し、端末にタイプ−１メッセージのサブキャリア間隔を信号伝達することができる。
タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システム情報であり、
タイプ−１メッセージが、非コンテンションベースのランダムアクセスメッセージであるとき、タイプ−２メッセージは、非コンテンションベースのランダムアクセスメッセージのためのトリガメッセージである。
【０１０６】
第２のサブセット内の端末に関して、タイプ−１メッセージ伝送方法が、単一サブキャリア伝送であり、かつサブキャリア間隔が、複数の構成を有するとき、タイプ−１メッセージ伝送のサブキャリア間隔は、端末ランク付けに従って判定されることができる。
【０１０７】
サブキャリア間隔が、２つの構成を有するとき、第２のサブセット内の最高ランク付けされたＫ２個の端末に対してタイプ−１メッセージを伝送するために小サブキャリア間隔を構成し、第２のサブセット内の残りのＮ２−Ｋ２個のランク端末に対してタイプ−１メッセージを伝送するために大サブキャリア間隔を構成し、Ｋ２は、１を上回るまたはそれと等しく、Ｎ未満である、正の整数である。
【０１０８】
サブキャリア間隔が、複数の構成を有するとき、第２のサブセット内の端末は、基地局によって伝送されるタイプ−２メッセージを受信することから、タイプ−１メッセージのためのサブキャリア間隔を得る。
【０１０９】
タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システムメッセージであり、
タイプ−１メッセージが、非コンテンションベースのランダムアクセスメッセージであるとき、タイプ−２メッセージは、非競合機構のランダムアクセスメッセージのためのトリガメッセージである。
【０１１０】
具体的には、端末ランク付け情報は、以下：
カバレッジ増強ランクと、
物理チャネル反復伝送ランクと、
物理チャネルランク上で搬送される信号伝達またはメッセージの反復伝送と
のうちの少なくとも１つを含む。
【０１１１】
ランク付け情報に従って、端末サブセットを分類するとき、ランクの範囲は、分類を判定するために使用されることができ、すなわち、同一ランク付け範囲に属する端末が同一端末サブセットに属し、異なるサブセット内の端末が異なるランク付け範囲に属することに留意することが重要である。具体的数のサブセットは、ランク付けの数範囲に関連し、すなわち、ランクは、ランク付け強度に従って、いくつかの範囲、順に、いくつかのサブセットに分割される。各サブセット内の具体的伝送方法の対応する構成に関して、上記で概略されたＮ個のサブセットの構成を参照し得る。本明細書では、さらに説明されない。
【０１１２】
以下は、メッセージ伝送の間に使用されるトランスポートブロックサイズに基づいてサブセットを作成するためのスキームを説明する。端末が、（端末が属する）第１の端末セットのサブセットに対応するタイプ−１メッセージ伝送方法に従って、タイプ−１メッセージを基地局に伝送する。端末が、（端末が属する）第１の端末セットのサブセットに対応するタイプ−１メッセージ伝送方法に従って、タイプ−１メッセージを基地局に伝送し、第１の端末セットのサブセットは、タイプ−１メッセージを伝送するために端末によって使用されるトランスポートブロックサイズに従って２つのサブセットに分類され、第１のサブセットを構成する端末は、タイプ−１メッセージを伝送するために大トランスポートブロックを使用し、第２のサブセットを構成する端末は、タイプ−１メッセージを伝送するために小トランスポートブロックを使用し、第１のサブセットに対応するタイプ−１メッセージ伝送方法は、複数のサブキャリア伝送であり、第２のサブセットに対応するタイプ−１メッセージ伝送方法は、単一サブキャリア伝送である。
【０１１３】
分類のための本方法では、タイプ−１メッセージは、典型的には、Ｍｓｇ３を備える。
【０１１４】
第２のサブセットに属する端末に関して、タイプ−１メッセージを伝送するための別の方法は、単一サブキャリア伝送であり、本時点において、単一サブキャリア間隔は、複数の構成を有する場合、タイプ−１メッセージ伝送のサブキャリア間隔は、第２のサブセット内の端末ランク付けに従って判定されることができる。
【０１１５】
単一サブキャリア間隔が、２つの構成を有する場合、小サブキャリア間隔は、第２のサブセット内の最高ランク付けされたＭ１個の端末に対してタイプ−１メッセージの伝送のために構成されることができ、大サブキャリア間隔は、第２のサブセット内の残りのＭ−Ｍ１個のランク付けされた端末に対してタイプ−１メッセージの伝送のために構成されることができ、Ｍは、基地局によって構成されるランク付けの数または第２のサブセット内のランク付けの数であり、Ｍ１は、１を上回るまたはそれと等しく、Ｍ未満である、正の整数である。
【０１１６】
サブキャリア間隔が、複数の構成を有する場合、端末は、基地局によって伝送されるタイプ−２メッセージを受信することから、タイプ−１メッセージのためのサブキャリア間隔を得ることができる。具体的には、タイプ−２メッセージは、ランダムアクセス応答メッセージであり得る。
【０１１７】
（実施形態２）
本実施形態は、複数のサブキャリアの同時伝送をサポートし、端末ランク付けに従って端末セットを分類し、端末アップリンク伝送方法を判定することができる、端末に関する。これらの方法は、主に、以下の動作を含む。
複数のサブキャリアの同時伝送をサポートする端末が、端末が属する端末セットに対応するタイプ−１メッセージ伝送方法に従って、タイプ−１メッセージを基地局に伝送する。
端末セットは、端末ランク付け情報に従って、Ｎ個の端末セットに分割され、異なる端末セットは、異なるランクの端末を備え、Ｎは、１を上回る正の整数である。
【０１１８】
具体的には、端末は、端末ランク付け情報に基づいて、第１の端末セットに分割されることができ、第１の端末セットは、最高ランク付けされたＮ１個の端末を備え、第１の端末セットに対応するタイプ−１メッセージ伝送方法は、単一サブキャリア伝送であり、Ｎ１は、１を上回るまたはそれと等しく、Ｎ未満またはそれと等しい、正の整数である。
【０１１９】
端末は、次いで、端末ランク付け情報に基づいて、第２の端末セットに分割され、第２の端末セットは、Ｎ１個のランク付けされた端末以外のＮ２個のランク付けされた端末を備え、第２の端末セットに対応するタイプ−１メッセージ伝送方法は、複数のサブキャリア伝送であり、Ｎ２は、正の整数であり、Ｎ２＝Ｎ−Ｎ１である。
【０１２０】
第１の端末セット内の端末毎に、サブキャリア間隔が、複数の構成を有するとき、タイプ−１メッセージ伝送のサブキャリア間隔は、端末ランク付けに従って判定されることができる。
【０１２１】
サブキャリア間隔が、２つの構成を有するとき、第１のサブセット内の最高ランク付けされたＫ１個の端末に対してタイプ−１メッセージを伝送するために小サブキャリア間隔を構成し、第１のサブセット内の残りのＮ１−Ｋ１個のランク付けされた端末に対してタイプ−１メッセージを伝送するために大サブキャリア間隔を構成し、Ｋ１は、１を上回るまたはそれと等しく、Ｎ未満またはそれと等しい、正の整数である。
【０１２２】
サブキャリア間隔が、複数の構成を有するとき、基地局は、タイプ−２メッセージを伝送し、端末にタイプ−１メッセージのためのサブキャリア間隔を信号伝達することができる。
【０１２３】
例えば、タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システムメッセージであり、
タイプ−１メッセージが、非競合機構に基づくランダムアクセスメッセージであるとき、タイプ−２メッセージは、非コンテンションベースのランダムアクセスメッセージのためのトリガメッセージである。
【０１２４】
第２の端末セットに属する端末に関して、タイプ−１メッセージ伝送方法が、単一サブキャリア伝送であり、かつ単一サブキャリア間隔が、複数の構成を有する場合、端末ランク付けに従って、タイプ−１メッセージ伝送のためのサブキャリア間隔を判定する。
【０１２５】
サブキャリア間隔が、２つの構成を有するとき、第２の端末セット内の最高ランク付けされたＫ２個の端末に対してタイプ−１メッセージを伝送するために小サブキャリア間隔を構成し、第２の端末セット内の残りのＮ２−Ｋ２個のランク付けされた端末に対してタイプ−１メッセージを伝送するために大サブキャリア間隔を構成し、Ｋ２は、１を上回るまたはそれと等しく、Ｎ未満またはそれと等しい、正の整数である。
【０１２６】
サブキャリア間隔が、複数の構成を有するとき、基地局は、タイプ−２メッセージを送信し、端末にタイプ−１メッセージのサブキャリア間隔を信号伝達することができる。
【０１２７】
例えば、タイプ−１メッセージがＭｓｇ３メッセージであるとき、タイプ−２メッセージは、ランダムアクセス応答メッセージであり、
タイプ−１メッセージが、競合機構に基づくランダムアクセスメッセージであるとき、タイプ−２メッセージは、システムメッセージであり、
タイプ−１メッセージが、非コンテンションベースのランダムアクセスメッセージであるとき、タイプ−２メッセージは、非コンテンションベースのランダムアクセスメッセージのためのトリガメッセージである。
【０１２８】
本実施形態の端末ランク付け情報は、以下：
カバレッジ増強ランクと、
物理チャネル反復伝送ランクと、
物理チャネルランク上で搬送される信号伝達またはメッセージの反復伝送と
のうちの少なくとも１つを含む。
【０１２９】
ランク付け情報に従って、端末サブセットを分類するとき、ランクの範囲は、分類を判定するために使用されることができ、すなわち、同一ランク付け範囲に属する端末は、同一端末サブセットに属し、異なるサブセット内の端末は、異なるランク付け範囲に属することに留意することが、重要である。具体的数のサブセットは、ランク付けの数範囲に関連する。すなわち、ランクは、ランク付け強度に従って、いくつかの範囲、順に、いくつかのサブセットに分割される。各サブセット内の具体的伝送方法の対応する構成に関して、上記に概略されたＮ個のサブセットの構成を参照し得、本明細書にさらに説明されない。
【０１３０】
本実施形態では、上記で概略された端末セットに基づいて、また、タイプ−１メッセージのために使用されるトランスポートブロックのサイズに基づいて、端末を分類することが可能である。すなわち、端末が、端末が属する端末セットのサブセットに対応するタイプ−１メッセージ伝送方法に従って、タイプ−１メッセージを基地局に伝送する。
全ての端末セットのサブセットは、タイプ−１メッセージを伝送するために端末によって使用されるトランスポートブロックのサイズに従って、２つのサブセットに分類され、第１のサブセットを構成する端末は、タイプ−１メッセージを伝送するために大トランスポートブロックを使用し、第２のサブセットを構成する端末は、タイプ−１メッセージを伝送するために小トランスポートブロックを使用する。
【０１３１】
具体的には、第１のサブセットに対応するタイプ−１メッセージ伝送方法は、複数のサブキャリア伝送であるように構成されることができる。
第２のサブセットに対応するタイプ−１メッセージ伝送方法は、単一サブキャリア伝送であるように構成されることができる。
【０１３２】
タイプ−１メッセージ伝送方法が、単一サブキャリア伝送であり、かつ単一サブキャリア間隔が、複数の構成を有するとき、タイプ−１メッセージ伝送のためのサブキャリア間隔は、第２の端末サブセット内の端末ランク付けから判定されることができる。
【０１３３】
タイプ−１メッセージ伝送方法が、単一サブキャリア伝送であり、かつ単一サブキャリア間隔が、２つの構成を有するとき、小サブキャリア間隔は、第２のサブセット内の最高ランク付けされたＭ１個の端末に対してタイプ−１メッセージの伝送のために構成されることができ、大サブキャリア間隔は、第２のサブセット内の残りのＭ−Ｍ１個の端末に対してタイプ−１メッセージの伝送のために構成されることができ、Ｍは、基地局によって構成されるランク付けの数または第２のサブセット内のランク付けの数であり、Ｍ１は、１を上回るまたはそれと等しく、Ｍ未満である、正の整数である。
【０１３４】
単一サブキャリア間隔が、複数の構成を有するとき、端末は、基地局によって伝送されるタイプ−２メッセージからタイプ−１メッセージのためのサブキャリア間隔を得ることができる。具体的には、タイプ−２メッセージは、ランダムアクセス応答メッセージである。
【０１３５】
（実施形態３）
本実施形態は、主に、タイプ−１メッセージのトランスポートブロックサイズに基づいて、端末を分類するためのスキームを提供する。本方法は、以下の動作を含む。
端末が、端末が属する端末セットに対応するタイプ−１メッセージ伝送方法に従って、タイプ−１メッセージを基地局に伝送する。
端末セットは、タイプ−１メッセージを伝送するために端末によって使用されるトランスポートブロックのサイズに従って、２つのサブセットに分割され、第１のサブセットを構成する端末は、タイプ−１メッセージを伝送するために大トランスポートブロックを使用し、第２のサブセットを構成する端末は、タイプ−１メッセージを伝送するために小トランスポートブロックを使用する。
【０１３６】
具体的には、第１の端末セットとその対応するタイプ−１メッセージ伝送方法との間に構成される関係は、複数のサブキャリア伝送であり、
第２の端末セットに対応するタイプ−１メッセージ伝送方法は、単一サブキャリア伝送である。
【０１３７】
第２の端末セット内の端末が、複数の構成を伴って、単一サブキャリア間隔を有する場合、タイプ−１メッセージ伝送のための端末間隔は、端末ランク付けに従って判定される。
【０１３８】
単一サブキャリア間隔が２つの構成を有すると仮定すると、小サブキャリア間隔は、第２のサブセット内の最高ランク付けされたＭ１個の端末に対してタイプ−１メッセージの伝送のために構成されることができ、大サブキャリア間隔は、第２のサブセット内の残りのＭ−Ｍ１個のランク付けされた端末に対してタイプ−１メッセージの伝送のために構成されることができ、Ｍは、基地局によって構成されるランク付けの数または第２のサブセット内のランク付けの数であり、Ｍ１は、１を上回るまたはそれと等しく、Ｍ未満である、正の整数である。
【０１３９】
上記で概略された方法に加え、また、基地局が、端末に、タイプ−１メッセージのためのサブキャリア間隔を伝送するように命令することが可能である。すなわち、単一サブキャリア間隔が、複数の構成を有するとき、端末は、基地局によって伝送されるタイプ−２メッセージを受信することを通して、タイプ−１メッセージのための単一サブキャリア間隔を得る。タイプ−２メッセージは、ランダムアクセス応答メッセージであることができる。
【０１４０】
（実施形態４）
本実施形態は、主に、ＵＥ端上でＭｓｇ３を伝送するプロセスを対象とする、ランダムアクセスの間のメッセージの伝送のための方法を提供する。本方法は、
端末が、ランダムアクセスメッセージのための伝送方法に対応するＭｓｇ３伝送方法に従って、Ｍｓｇ３を基地局に伝送することを含む。
【０１４１】
本実施形態では、ランダムアクセスメッセージのための伝送方法は、ランダムアクセスメッセージのための伝送方法と、ランダムアクセスメッセージによって占有されるランダムアクセスリソースとを含む。
【０１４２】
ランダムアクセスメッセージのための伝送方法は、単一サブキャリア伝送または複数のサブキャリア伝送を含む。
【０１４３】
本実施形態では、ランダムアクセスメッセージの伝送方法とＭｓｇ３伝送方法との間の対応の好ましい構成は、以下の状況を含む。
状況１：
ランダムアクセスメッセージのための伝送方法が、単一サブキャリア伝送であるとき、対応するＭｓｇ３伝送方法は、単一サブキャリア伝送であり、
ランダムアクセスメッセージのための伝送方法が、複数のサブキャリア伝送であるとき、対応するＭｓｇ３伝送方法は、複数のサブキャリア伝送である。
状況２：
ランダムアクセスメッセージのための伝送方法が、単一サブキャリア伝送であるとき、対応するＭｓｇ３伝送ランダムアクセスリソースは、第１のランダムアクセスリソースであり、
ランダムアクセスメッセージのための伝送方法が、複数のサブキャリア伝送であるとき、対応するＭｓｇ３伝送ランダムアクセスリソースは、ランダムアクセスリソースである。
【０１４４】
第１のランダムアクセスリソースおよびランダムアクセスリソースは、異なるリソースである。
【０１４５】
加えて、また、Ｍｓｇ３伝送方法を判定するためのスキーム、すなわち、ランダムアクセスメッセージによって占有されるランダムアクセスリソースに従って、端末を２つのセットに分割することと、１つのセットが単一サブキャリアを使用するための対応するＭｓｇ３伝送方法および他のセットが複数のサブキャリアを使用するための対応するＭｓｇ３伝送方法を構成することとも存在する。
【０１４６】
（実施形態５）
本実施形態は、ランダムアクセスの間のメッセージの伝送のための装置を提供する。本装置は、実施形態１に概略されたスキームを実装することができ、主に、
端末が属する端末セットに対応するタイプ−１メッセージ伝送方法に従って、タイプ−１メッセージを基地局に伝送するように構成される、第１の伝送ユニットを備える。
端末セットは、端末によってサポートされるサブキャリア伝送能力に従って分類され、第１の端末セットは、複数のサブキャリアの同時伝送をサポートする端末を備え、第２の端末セットは、複数のサブキャリアの同時伝送をサポートしない端末を備える。
【０１４７】
本装置はさらに、端末が属する端末セットを判定するように構成される、第１の判定ユニットを備えることができる。
【０１４８】
加えて、本装置はさらに、主に、端末をセットに分割し、異なる端末セットのための対応するタイプ−１メッセージ伝送方法を構成するように構成される、第１のグループ化ユニットを備えることができる。
【０１４９】
本実施形態の装置は、実施形態１に概略されたプログラムを実装することができるため、本装置の他の詳細な説明は、実施形態１の対応する内容に見出されることができ、本明細書にさらに説明されない。
【０１５０】
第１の伝送ユニットは、ランダムアクセスメッセージ伝送デバイス内で送受信機デバイスとともに実装されることができ、第１の判定ユニットおよび第１のグループ化ユニットは、ランダムアクセスメッセージ伝送デバイス内でプロセッサとともに実装されることができることに留意することが重要である。
【０１５１】
（実施形態６）
本実施形態は、ランダムアクセスの間のメッセージの伝送のための装置を提供する。本装置は、実施形態２において概略されたスキームを実装することができ、主に、
端末が属する端末セットに対応するタイプ−１メッセージ伝送方法に従って、タイプ−１メッセージを基地局に伝送するように構成される、第２の伝送ユニットを備える。
本装置の端末は、複数のサブキャリアの同時伝送をサポートする。
端末セットは、端末のランク付け情報に従って、Ｎ個の端末セットに分割され、異なる端末セットは、異なるランクの端末を備え、Ｎは、１を上回る正の整数である。
【０１５２】
本装置はさらに、端末が属する端末セットを判定するように構成される、第２の判定ユニットを備えることができる。
【０１５３】
加えて、本装置はさらに、主に、端末をセットに分割し、異なる端末セットのための対応するタイプ−１メッセージ伝送方法を構成するように構成される、第２のグループ化ユニットを備えることができる。
【０１５４】
本実施形態の装置は、実施形態２において概略されたプログラムを実装することができるため、本装置の他の詳細な説明は、実施形態２の対応する内容に見出されることができ、本明細書にさらに説明されない。
【０１５５】
第２の伝送ユニットは、ランダムアクセスメッセージ伝送デバイス内で送受信機デバイスとともに実装されることができ、第２の判定ユニットおよび第２のグループ化ユニットは、ランダムアクセスメッセージ伝送デバイス内でプロセッサとともに実装されることができることに留意することが重要である。
【０１５６】
（実施形態７）
本実施形態は、ランダムアクセスの間のメッセージの伝送のための装置を提供する。本装置は、実施形態３において概略されたスキームを実装することでき、主に、
端末が属する端末セットに対応するタイプ−１メッセージ伝送方法に従って、タイプ−１メッセージを基地局に伝送するように構成される、第３の伝送ユニットを備える。
端末セットは、タイプ−１メッセージの伝送内で端末によって使用されるトランスポートブロックサイズに従って、２つのサブセットに分割され、第１の端末セットを構成する端末は、タイプ−１メッセージを伝送するために大トランスポートブロックを使用し、第２の端末セットを構成する端末は、タイプ−１メッセージを伝送するために小トランスポートブロックを使用する。
【０１５７】
本装置はさらに、端末が属する端末セットを判定するように構成される、第３の判定ユニットを含むことができる。
【０１５８】
加えて、本装置はさらに、主に、端末をセットに分割し、異なる端末セットのための対応するタイプ−１メッセージ伝送方法を構成するように構成される、第３のグループ化ユニットを備えることができる。
【０１５９】
本実施形態の装置は、実施形態３において概略されたプログラムを実装することができるため、本装置の他の詳細な説明は、実施形態３の対応する内容に見出されることができ、本明細書にさらに説明されない。
【０１６０】
第３の伝送ユニットは、ランダムアクセスメッセージ伝送デバイス内で送受信機デバイスとともに実装されることができ、第３の判定ユニットおよび第３のグループ化ユニットは、ランダムアクセスメッセージ伝送デバイス内でプロセッサとともに実装されることができることに留意することが重要である。
【０１６１】
（実施形態８）
本実施形態は、ランダムアクセスの間のメッセージの伝送のための装置を提供する。本装置は、実施形態４において概略されたスキームを実装することでき、主に、
ランダムアクセスメッセージのための伝送方法に対応するＭｓｇ３伝送方法に従って、Ｍｓｇ３を伝送するように構成される、第４の伝送ユニットを備える。
【０１６２】
本装置はさらに、端末が属する端末セットを判定するように構成される、第４の判定ユニットを備えることができる。
【０１６３】
加えて、本装置はさらに、主に、端末をセットに分割し、異なる端末セットのための対応するタイプ−１メッセージ伝送方法を構成するように構成される、第４のグループ化ユニットを備えることができる。
【０１６４】
本実施形態の装置は、実施形態４において概略されたプログラムを実装することができるため、本装置の他の詳細な説明は、実施形態４の対応する内容に見出されることができ、本明細書にさらに説明されない。
【０１６５】
第４の伝送ユニットは、ランダムアクセスメッセージ伝送デバイス内で送受信機デバイスとともに実装されることができ、第４の判定ユニットおよび第４のグループ化ユニットは、ランダムアクセスメッセージ伝送デバイス内でプロセッサとともに実装されることができることに留意することが重要である。
【０１６６】
上記で概略されたステップの全部または一部は、関連ハードウェアに命令するプログラムを使用して実装されることができることが、当業者に明白となるであろう。本プログラムは、ＲＯＭ、ディスク、またはＣＤ等のコンピュータ可読記憶媒体上に記憶されることができる。代替として、前述の実施形態に概略されたステップの全部または一部は、１つ以上の集積回路を使用して実装されることができる。適宜、前述の実施形態の各モジュール／ユニッは、ハードウェアを使用して実装されることができ、またはソフトウェア機能モジュールとともに実装されることができる。本願は、ハードウェアまたはソフトウェアの任意の特定の組み合わせに限定されない。
【０１６７】
本実施形態は、方法、システム、またはコンピュータ記憶媒体を提供し得ることが、当業者に明白となるであろう。したがって、本発明は、ハードウェア実施形態、ソフトウェア実施形態、またはソフトウェアおよびハードウェア側面の組み合わせの形態をとり得る。さらに、本発明は、コンピュータ使用可能プログラムコードを備える、１つ以上のコンピュータ使用可能記憶媒体（限定ではないが、ディスク記憶装置、光学メモリ等を含む）に実装されるコンピュータ記憶製品の形態をとり得る。
【０１６８】
本発明は、本実施形態の方法、装置（システム）、およびコンピュータ記憶媒体のフローチャートおよび／またはブロック図を参照して説明される。フローチャートおよび／またはブロック図内の各プロセスおよび／またはブロックならびにこれらのプロセスの任意の組み合わせは、コンピュータプログラム命令を使用して実装されることができることを理解されたい。これらのコンピュータプログラム命令は、プロセッサによるこれらの命令の実行が、フローチャート内の１つ以上のプロセスおよび／またはブロック図内のブロックのうちの１つ以上を実装するために使用され得るような機械を生産するために、汎用コンピュータ、特殊コンピュータ、内蔵プロセッサ、または他のプログラマブルデータ処理デバイスのプロセッサと組み合わせられることができる。
【０１６９】
これらの命令はまた、コンピュータ可読メモリ内に記憶されるこれらの命令が、フローチャートを構成する１つ以上のプロセス内に規定された機能および／またはブロック図内のブロックのうちの１つ以上を実装する、信号伝達装置を構成するように、コンピュータまたは他のプログラマブルデータ処理デバイス上にロードされてもよい。
【０１７０】
これに基づいて、本発明の実施形態は、少なくとも１つのプロセッサに実装されると、本実施形態に概略されたランダムアクセスの間のメッセージのための伝送方法を実行する、命令のセットを備える、コンピュータ記憶媒体を提供する。
【０１７１】
本明細書に概略された実施形態は、本発明の好ましい実施形態であることが意図され、その範囲を限定する役割を果たすものではない。本実施形態の精神または原理内の任意の修正、均等物代用、改良等は、本発明の範囲内に含まれるべきである。
【産業上の利用可能性】
【０１７２】
本実施形態では、端末が、タイプ−１メッセージを基地局に伝送するとき、それらは、端末が属する端末セットに対応するタイプ−１メッセージの伝送方法に従ってそのように行い、端末セットは、そのサブキャリア伝送能力に基づいて端末を分類する、本実施形態によって提供されるスキームによって判定され、これは、特に、ＭＴＣ  ＵＥのランダムアクセスのためのランダムアクセス干渉の問題をより良好に解決する。
【手続補正書】
【提出日】平成30年9月5日(2018.9.5)
【手続補正１】
【補正対象書類名】特許請求の範囲
【補正対象項目名】全文
【補正方法】変更
【補正の内容】
【特許請求の範囲】
【請求項１】
無線通信デバイスによって行われる方法であって、
前記無線通信デバイスが第１の端末セットまたは第２の端末セットに属するかどうかに従って、メッセージ３（Ｍｓｇ３）メッセージを無線通信ノードに伝送することであって、前記第１の端末セットは、物理チャネル信号の伝送を反復するための第１の回数を示す、第１の反復伝送ランクと関連付けられ、前記第２の端末セットは、前記第１の回数と異なる、前記物理チャネル信号の伝送を反復するための第２の回数を示す、第２の反復伝送ランクと関連付けられる、ことと、
前記無線通信デバイスが前記第１の端末セットに属するとき、単一サブキャリア伝送を使用して、前記Ｍｓｇ３メッセージを前記無線通信ノードに送信することと、
前記無線通信デバイスが前記第２の端末セットに属するとき、複数のサブキャリア伝送を使用して、前記Ｍｓｇ３メッセージを前記無線通信ノードに送信することと
を含む、方法。
【請求項２】
前記単一サブキャリア伝送を使用して、前記Ｍｓｇ３メッセージを前記無線通信ノードに送信するとき、前記方法はさらに、
前記無線通信ノードから、前記Ｍｓｇ３メッセージを伝送するために使用される複数のサブキャリア間隔のうちの１つを示すメッセージを受信することを含む、請求項１に記載の方法。
【請求項３】
メッセージを受信する方法であって、
無線通信デバイスが第１の端末セットまたは第２の端末セットに属するかどうかに従って、メッセージ３（Ｍｓｇ３）メッセージを前記無線通信デバイスから受信することであって、前記第１の端末セットは、物理チャネル信号の伝送を反復するための第１の回数を示す、第１の反復伝送ランクと関連付けられ、前記第２の端末セットは、前記第１の回数と異なる、前記物理チャネル信号の伝送を反復するための第２の回数を示す、第２の反復伝送ランクと関連付けられる、ことと、
前記無線通信デバイスが前記第１の端末セットに属するとき、単一サブキャリア伝送において前記Ｍｓｇ３メッセージを前記無線通信デバイスから受信することと、
前記無線通信デバイスが前記第２の端末セットに属するとき、複数のサブキャリア伝送において前記Ｍｓｇ３メッセージを前記無線通信デバイスから受信することと
を含む、方法。
【請求項４】
前記単一サブキャリア伝送において前記Ｍｓｇ３メッセージを前記無線通信デバイスから受信するとき、前記方法はさらに、
前記無線通信デバイスに、前記Ｍｓｇ３メッセージを伝送するために使用される複数のサブキャリア間隔のうちの１つを示すメッセージを伝送することを含む、請求項３に記載の方法。
【請求項５】
請求項１〜４のいずれか１項を実施するためのコンピュータ実行可能命令をその上に記憶している、非一過性コンピュータ可読媒体。
【手続補正２】
【補正対象書類名】明細書
【補正対象項目名】００７８
【補正方法】変更
【補正の内容】
【００７８】
本実施形態によって提供される技術的ソリューションの実装は、特に、ＭＴＣ  ＵＥのためのランダムアクセスプロセスに関する、ランダムアクセス干渉の問題をより効果的に解決する。
本願明細書は、例えば、以下の項目も提供する。
（項目１）
ランダムアクセスプロシージャの間、メッセージを伝送するための方法であって、
端末が、前記端末が属する端末セットに対応するタイプ−１メッセージ伝送方法に従って、タイプ−１メッセージを基地局に伝送することを含み、
前記端末セットは、前記端末によってサポートされる個別のサブキャリア伝送能力に従ってグループ化される、方法。
（項目２）
第１の端末セットは、複数のサブキャリアの同時伝送をサポートする端末を備え、第２の端末セットは、前記複数のサブキャリアの同時伝送をサポートしない端末を備える、項目１に記載の方法。
（項目３）
前記タイプ−１メッセージ伝送方法は、タイプ−１メッセージの伝送および／またはタイプ−１メッセージ伝送の間に使用される対応するリソースの伝送を含む、項目１に記載の方法。
（項目４）
前記タイプ−１メッセージは、以下：
コンテンションベースのランダムアクセスメッセージ、非コンテンションベースのランダムアクセスメッセージ、およびＭｓｇ３のうちの１つを含む、項目３に記載の方法。
（項目５）
前記タイプ−１メッセージが、コンテンションベースまたは非コンテンションベースのランダムアクセスメッセージであるとき、前記タイプ−１メッセージによって使用されるランダムアクセスリソースは、以下：
ランダムアクセスチャネルの時間ドメインリソースと、
前記ランダムアクセスチャネルの周波数ドメインリソースと、
前記ランダムアクセスチャネル上で伝送されるランダムアクセスシーケンスと
のうちの少なくとも１つを含む、項目４に記載の方法。
（項目６）
前記タイプ−１メッセージが、非コンテンションベースのランダムアクセスメッセージであり、かつ前記端末が、前記第１の端末セットに属するとき、前記端末は、前記基地局からのタイプ−２メッセージを受信することを通して、前記タイプ−１メッセージ伝送方法を得る、項目５に記載の方法。
（項目７）
前記タイプ−２メッセージは、非コンテンションベースのランダムアクセスメッセージのためのトリガメッセージであり、前記トリガメッセージインジケーション内の非コンテンションベースのランダムアクセスメッセージのための前記伝送方法は、複数のサブキャリア伝送または単一サブキャリア伝送である、項目６に記載の方法。
（項目８）
タイプ−２メッセージは、非コンテンションベースのランダムアクセスメッセージのためのトリガメッセージであり、前記トリガメッセージに対応するランダムアクセスメッセージのための伝送フォーマットは、単一サブキャリア伝送に関して、複数のサブキャリア伝送のためのものと異なる、項目６に記載の方法。
（項目９）
単一サブキャリア伝送および複数のサブキャリア伝送のための前記トリガメッセージインジケーションに対応するランダムアクセスメッセージの伝送フォーマット間の差異は、
前記トリガメッセージインジケーションに対応する非コンテンションベースのランダムアクセスメッセージのための前記伝送方法が、複数のサブキャリア伝送であるとき、搬送される情報のサイズは、単一サブキャリア伝送の間に搬送される情報のサイズと異なることを含む、項目８に記載の方法。
（項目１０）
タイプ−２メッセージは、非競合機構のランダムアクセスメッセージのリソースインジケーション情報である、項目６に記載の方法。
（項目１１）
タイプ−２メッセージが、前記非競合機構のランダムアクセスメッセージのリソースインジケーション情報であるとき、それによって、前記基地局によって伝送されるタイプ−２メッセージを受信することを通して、前記端末が前記タイプ−１メッセージ伝送方法を得る、プロセスは、
前記非競合機構のランダムアクセスメッセージのリソースインジケーション情報が、１つのサブキャリアが前記周波数ドメイン内に配分されることを示すとき、前記端末は、非コンテンションベースのランダムアクセスメッセージのための前記伝送方法が、単一サブキャリア伝送であることを判定することと、
前記非競合機構のランダムアクセスメッセージのリソースインジケーション情報が、複数のサブキャリアが前記周波数ドメイン内に配分されることを示すとき、前記端末は、非コンテンションベースのランダムアクセスメッセージのための前記伝送方法が、複数のサブキャリア伝送であることを判定することと
を含む、項目１０に記載の方法。
（項目１２）
前記タイプ−１メッセージが、Ｍｓｇ３であり、かつ前記端末が、前記第１の端末セットに属するとき、前記端末は、前記基地局によって伝送されるタイプ−２メッセージを受信することを通して、Ｍｓｇ３伝送方法を得、Ｍｓｇ３伝送方法は、単一サブキャリア伝送または複数のサブキャリア伝送を使用する、項目３に記載の方法。
（項目１３）
タイプ−２メッセージは、前記基地局によって前記端末に送信される、ランダムアクセス応答メッセージまたはシステム情報である、項目１２に記載の方法。
（項目１４）
前記端末が、前記第１の端末セットに属するとき、前記方法はさらに、
前記端末が、前記端末が属する第１の端末セットのサブセットのタイプ−１メッセージ伝送方法に従って、タイプ−１メッセージを前記基地局に伝送することを含み、
前記第１の端末セットは、前記端末ランク付け情報に従って、Ｎ個のサブセットに分割され、異なるサブセットは、異なるランクの端末を備え、Ｎは、１を上回る正の整数である、項目１から１３のいずれかに記載の方法。
（項目１５）
前記第１の端末セットのサブセットに対応するタイプ−１メッセージ伝送方法では、
前記第１の端末セット内の第１のサブセットは、前記Ｎ個のサブセット内の最高ランク付けされたＮ１個の端末を備え、前記第１のサブセットに対応するタイプ−１メッセージ伝送方法は、単一サブキャリア伝送であり、Ｎ１は、１を上回るまたはそれと等しく、Ｎ未満またはそれと等しい、正の整数であることを含む、項目１４に記載の方法。
（項目１６）
サブキャリア間隔が、複数の構成を有するとき、タイプ−１メッセージ伝送のサブキャリア間隔は、前記端末ランク付けに従って判定される、項目１５に記載の方法。
（項目１７）
サブキャリア間隔が、２つの構成を有するとき、前記第１のサブセット内の最高ランク付けされたＫ１個の端末に対してタイプ−１メッセージを伝送するために小サブキャリア間隔を構成し、前記残りのＮ１−Ｋ１個のランク付けされた端末に対してタイプ−１メッセージを伝送するために大サブキャリア間隔を構成し、Ｋ１は、１を上回るまたはそれと等しく、Ｎ未満またはそれと等しい、正の整数である、項目１５に記載の方法。
（項目１８）
サブキャリア間隔が、複数の構成を有するとき、前記端末は、前記基地局によって伝送されるタイプ−２メッセージを受信することから、タイプ−１メッセージのためのサブキャリア間隔を得る、項目１５に記載の方法。
（項目１９）
タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システムメッセージであり、
タイプ−１メッセージが、非コンテンションベースのランダムアクセスメッセージであるとき、タイプ−２メッセージは、非コンテンションベースのランダムアクセスメッセージのためのトリガメッセージである、項目１８に記載の方法。
（項目２０）
前記第１の端末セットのサブセットに対応するタイプ−１メッセージ伝送方法では、
前記第１の端末セットの第２のサブセットは、Ｎ１個のランク付けされた端末以外のＮ２個のランク付けされた端末を備え、前記第２のサブセットに対応するタイプ−１メッセージ伝送方法は、複数のサブキャリア伝送であり、Ｎ２は、正の整数であり、Ｎ２＝Ｎ−Ｎ１であることを含む、項目１５に記載の方法。
（項目２１）
前記第１の端末セットのサブセットに対応するタイプ−１メッセージ伝送方法では、
前記第１の端末セットの第２のサブセットは、Ｎ１個のランク付けされた端末以外のＮ２個のランク付けされた端末を備え、前記第２のサブセットに対応するタイプ−１メッセージ伝送方法は、単一サブキャリア伝送または複数のサブキャリア伝送であり、Ｎ２は、正の整数であり、Ｎ２＝Ｎ−Ｎ１であることをさらに含む、項目１５に記載の方法。
（項目２２）
前記第２のサブセットに対応するタイプ−１メッセージ伝送方法が、単一サブキャリアの伝送であり、かつサブキャリア間隔が、複数の構成を有するとき、前記端末ランク付けに従って、タイプ−１メッセージの前記サブキャリア間隔を判定する、項目２１に記載の方法。
（項目２３）
前記サブキャリア間隔が、２つの構成を有するとき、前記第２のサブセット内の最高Ｋ２個のランクを伴う端末に対してタイプ−１メッセージを伝送するために小サブキャリア間隔を構成し、前記第２のサブセット内の残りのＮ２−Ｋ２個のランク付けされた端末に対してタイプ−１メッセージを伝送するために大サブキャリア間隔を構成し、Ｋ２は、１を上回るまたはそれと等しく、Ｎ未満またはそれと等しい、正の整数である、項目２２に記載の方法。
（項目２４）
前記サブキャリア間隔が、複数の構成を有するとき、前記第２のサブセット内の端末は、前記基地局によって伝送されるタイプ−２メッセージを受信することを通して、タイプ−１メッセージのためのサブキャリア間隔を得る、項目２２に記載の方法。
（項目２５）
前記タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システムメッセージであり、
タイプ−１メッセージが、非コンテンションベースのランダムアクセスメッセージであるとき、タイプ−２メッセージは、非コンテンションベースのランダムアクセスメッセージのためのトリガメッセージである、項目２４に記載の方法。
（項目２６）
前記端末ランク付け情報は、以下：
カバレッジ増強ランクと、
物理チャネル反復伝送ランクと、
前記物理チャネルランク上で搬送される信号伝達またはメッセージの反復伝送と
のうちの少なくとも１つを含む、項目１４に記載の方法。
（項目２７）
前記端末が、前記第１の端末セットに属するとき、前記方法はさらに、
前記端末が、前記端末が属する前記端末セットのサブセットに対応する前記タイプ−１メッセージ伝送方法に従って、タイプ−１メッセージを前記基地局に伝送することを含み、
前記第１の端末セットのサブセットは、前記タイプ−１メッセージを伝送するために前記端末によって使用されるトランスポートブロックのサイズに従って、２つのサブセットに分類され、第１のサブセットを構成する端末は、タイプ−１メッセージを伝送するために大トランスポートブロックを使用し、第２のサブセットを構成する端末は、タイプ−１メッセージを伝送するために小トランスポートブロックを使用する、項目１から１３に記載の方法。
（項目２８）
タイプ−１メッセージは、Ｍｓｇ３を備える、項目２７に記載の方法。
（項目２９）
前記第１のサブセットに対応するタイプ−１メッセージ伝送方法は、複数のサブキャリア伝送であり、
前記第２のサブセットに対応するタイプ−１メッセージ伝送方法は、単一サブキャリア伝送である、項目２８に記載の方法。
（項目３０）
前記タイプ−１メッセージ伝送方法が、単一サブキャリア伝送であり、かつ単一サブキャリア間隔が、複数の構成を有するとき、前記第２のサブセット内の端末ランク付けに従って、タイプ−１メッセージ伝送のためのサブキャリア間隔を判定する、項目２９に記載の方法。
（項目３１）
前記タイプ−１メッセージ伝送方法が、単一サブキャリア伝送であり、かつ前記単一サブキャリア間隔が、２つの構成を有するとき、前記第２のサブセット内の最高ランク付けされたＭ１個の端末に対してタイプ−１メッセージの伝送のために小サブキャリア間隔を構成し、前記第２のサブセット内の残りのＭ−Ｍ１個のランク付けされた端末に対してタイプ−１メッセージの伝送のために大サブキャリア間隔を構成し、Ｍは、前記基地局によって構成されるランク付けの数または前記第２のサブセット内のランク付けの数であり、Ｍ１は、１を上回るまたはそれと等しく、Ｍ未満である、正の整数である、項目３０に記載の方法。
（項目３２）
前記タイプ−１メッセージ伝送方法が、単一サブキャリア伝送であり、かつ前記単一サブキャリア間隔が、複数の構成を有するとき、前記端末は、前記基地局によって伝送されるタイプ−２メッセージを受信することを通して、タイプ−１メッセージのためのサブキャリア間隔を得る、項目３１に記載の方法。
（項目３３）
タイプ−２メッセージは、ランダムアクセス応答メッセージである、項目３２に記載の方法。
（項目３４）
ランダムアクセスの間のメッセージのための伝送方法であって、
複数のサブキャリアの同時伝送をサポートする、端末が、前記端末が属する端末セットに対応するタイプ−１メッセージ伝送方法に従って、前記タイプ−１メッセージを基地局に伝送することを含み、
前記端末セットは、前記端末のランク付け情報に従って、Ｎ個の端末セットに分割され、異なる端末セットは、異なるランクの端末を備え、Ｎは、１を上回る正の整数である、方法。
（項目３５）
前記端末が属する前記端末セットに対応するタイプ−１メッセージ伝送方法では、
第１の端末セットは、最高レベルのＮ１個のランク付けされた端末を備え、前記第１の端末セットに対応するタイプ−１メッセージ伝送方法は、単一サブキャリア伝送であり、Ｎ１は、１を上回るまたはそれと等しく、Ｎ未満またはそれと等しい、正の整数であることを含む、項目３４に記載の方法。
（項目３６）
サブキャリア間隔が、複数の構成を有するとき、タイプ−１メッセージ伝送のための前記サブキャリア間隔は、前記端末ランク付けに従って判定される、項目３５に記載の方法。
（項目３７）
サブキャリア間隔が、２つの構成を有するとき、前記第１の端末セット内の最高ランク付けされたＫ１個の端末に対してタイプ−１メッセージを伝送するために小サブキャリア間隔を構成し、前記第１の端末セット内の残りのＮ１−Ｋ１個のランク付けされた端末に対してタイプ−１メッセージを伝送するために大サブキャリア間隔を構成し、Ｋ１は、１を上回るまたはそれと等しく、Ｎ未満またはそれと等しい、正の整数である、項目３５に記載の方法。
（項目３８）
サブキャリア間隔が、複数の構成を有するとき、前記端末は、前記基地局によって伝送されるタイプ−２メッセージを受信することを通して、タイプ−１メッセージ伝送のためのサブキャリア間隔を得る、項目３５に記載の方法。
（項目３９）
タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システムメッセージであり、
タイプ−１メッセージが、非コンテンションベースのランダムアクセスメッセージであるとき、タイプ−２メッセージは、非コンテンションベースのランダムアクセスメッセージのためのトリガメッセージである、項目３４に記載の方法。
（項目４０）
前記端末が属する前記端末セットに対応するタイプ−１メッセージ伝送方法では、
端末は、前記端末ランク付け情報に従って第２の端末セットに分類され、前記第２の端末セットは、Ｎ１個のランク付けされた端末以外のＮ２個のランク付けされた端末を備え、前記第２の端末セットに対応するタイプ−１メッセージ伝送方法は、複数のサブキャリア伝送であり、Ｎ２は、正の整数であり、Ｎ２＝Ｎ−Ｎ１であることを含む、項目３４に記載の方法。
（項目４１）
前記端末が属する前記端末セットに対応するタイプ−１メッセージ伝送方法はさらに、
前記第２の端末セットを前記端末ランク付け情報に従って分類することを含み、前記第２の端末セットは、Ｎ１個のランク付けされた端末以外のＮ２個のランク付けされた端末を備え、前記第２の端末セットに対応するタイプ−１メッセージ伝送方法は、単一サブキャリア伝送または複数のサブキャリア伝送であり、Ｎ２は、正の整数であり、Ｎ２＝Ｎ−Ｎ１である、項目４０に記載の方法。
（項目４２）
前記第２の端末セットに対応するタイプ−１メッセージ伝送方法が、単一サブキャリア伝送であり、かつ単一サブキャリア間隔が、複数の構成を有するとき、前記端末ランク付けに従って、タイプ−１メッセージ伝送のためのサブキャリア間隔を判定する、項目４１に記載の方法。
（項目４３）
サブキャリア間隔が、２つの構成を有するとき、前記第２の端末セット内の最高ランク付けされたＫ２個の端末を伴う端末に対してタイプ−１メッセージを伝送するために小サブキャリア間隔を構成し、前記第２の端末セット内の残りのＮ２−Ｋ２個のランク付けされた端末に対してタイプ−１メッセージを伝送するために大サブキャリア間隔を構成し、Ｋ２は、１を上回るまたはそれと等しく、Ｎ未満またはそれと等しい、正の整数である、項目４１に記載の方法。
（項目４４）
サブキャリア間隔が、複数の構成を有するとき、前記第２の端末セット内の端末は、前記基地局によって伝送されるタイプ−２メッセージを受信することを通して、タイプ−１メッセージのためのサブキャリア間隔を得る、項目４１に記載の方法。
（項目４５）
前記タイプ−１メッセージが、Ｍｓｇ３であるとき、タイプ−２メッセージは、ランダムアクセス応答メッセージであり、
タイプ−１メッセージが、競合機構に基づくランダムアクセスメッセージであるとき、タイプ−２メッセージは、システムメッセージであり、
タイプ−１メッセージが、非コンテンションベースのランダムアクセスメッセージであるとき、タイプ−２メッセージは、非コンテンションベースのランダムアクセスメッセージのためのトリガメッセージである、項目４４に記載の方法。
（項目４６）
前記端末ランク付け情報は、以下：
カバレッジ増強ランクと、
物理チャネル反復伝送ランクと、
前記物理チャネルランク上で搬送される信号伝達またはメッセージの反復伝送と
のうちの少なくとも１つを含む、項目３４に記載の方法。
（項目４７）
前記方法はさらに、
前記第１の端末セット内のサブセットに対応するタイプ−１メッセージ伝送方法に従って、タイプ−１メッセージを前記基地局に伝送することを含み、
全ての端末セットのサブセットは、前記タイプ−１メッセージを伝送するために前記端末によって使用されるトランスポートブロックのサイズに従って、２つのサブセットに分類され、第１のサブセットを構成する端末は、タイプ−１メッセージを伝送するために大トランスポートブロックを使用し、第２のサブセットを構成する端末は、タイプ−１メッセージを伝送するために小トランスポートブロックを使用する、項目４６に記載の方法。
（項目４８）
前記第１のサブセットに対応するタイプ−１メッセージ伝送方法は、複数のサブキャリア伝送であり、
前記第２のサブセットに対応するタイプ−１メッセージ伝送方法は、単一サブキャリア伝送である、項目４７に記載の方法。
（項目４９）
前記タイプ−１メッセージ伝送方法が、単一サブキャリア伝送であり、かつ単一サブキャリア間隔が、複数の構成を有するとき、前記第２のサブセット内の端末ランク付けに従って、タイプ−１メッセージ伝送のためのサブキャリア間隔を判定する、項目４８に記載の方法。
（項目５０）
前記タイプ−１メッセージ伝送方法が、単一サブキャリア伝送であり、かつ前記単一サブキャリア間隔が、２つの構成を有するとき、前記第２のサブセット内の最高ランク付けされたＭ１個の端末に対してタイプ−１メッセージの伝送のために小サブキャリア間隔を構成し、前記第２のサブセット内の残りのＭ−Ｍ１個のランク付けされた端末に対してタイプ−１メッセージの伝送のために大サブキャリア間隔を構成し、Ｍは、前記基地局によって構成されるランク付けの数または前記第２のサブセット内のランク付けの数であり、Ｍ１は、１を上回るまたはそれと等しく、Ｍ未満である、正の整数である、項目４９に記載の方法。
（項目５１）
前記タイプ−１メッセージ伝送方法が、単一サブキャリア伝送であり、かつ前記単一サブキャリア間隔が、複数の構成を有するとき、前記端末は、前記基地局によって伝送されるタイプ−２メッセージを受信することを通して、タイプ−１メッセージ伝送のためのサブキャリア間隔を得る、項目４９に記載の方法。
（項目５２）
タイプ−２メッセージは、ランダムアクセス応答メッセージである、項目５１に記載の方法。
（項目５３）
ランダムアクセスの間のメッセージの伝送のための方法であって、
端末が、前記端末が属する端末セットに対応するタイプ−１メッセージの伝送方法に従って、タイプ−１メッセージを基地局に伝送することを含み、
前記端末セットは、前記タイプ−１メッセージを伝送するために前記端末によって使用されるトランスポートブロックのサイズに従って、２つのサブセットに分割され、第１の端末セットを構成する端末は、タイプ−１メッセージを伝送するために大トランスポートブロックを使用し、第２の端末セットを構成する端末は、タイプ−１メッセージを伝送するために小トランスポートブロックを使用する、方法。
（項目５４）
前記第１の端末セットに対応するタイプ−１メッセージ伝送方法は、複数のサブキャリア伝送であり、
前記第２の端末セットに対応するタイプ−１メッセージ伝送方法は、単一サブキャリア伝送である、項目５３に記載の方法。
（項目５５）
前記タイプ−１メッセージ伝送方法が、単一サブキャリア伝送であり、かつ単一サブキャリア間隔が、複数の構成を有するとき、前記第２の端末セット内の端末ランク付けに従って、タイプ−１メッセージ伝送のためのサブキャリア間隔を判定する、項目５４に記載の方法。
（項目５６）
前述の方法では、前記タイプ−１メッセージ伝送方法が、単一サブキャリア伝送であり、かつ前記単一サブキャリア間隔が、２つの構成を有するとき、前記第２の端末セット内の最高ランク付けされたＭ１個の端末に対して前記タイプ−１メッセージの伝送のために小サブキャリア間隔を構成し、前記第２の端末セット内の残りのＭ−Ｍ１個のランク付けされた端末に対して前記タイプ−１メッセージの伝送のために大サブキャリア間隔を構成し、Ｍは、前記基地局によって構成されるランク付けの数または前記第２の端末セット内のランク付けの数であり、Ｍ１は、１を上回るまたはそれと等しく、Ｍ未満である、正の整数である、項目５５に記載の方法。
（項目５７）
前記タイプ−１メッセージ伝送方法が、単一サブキャリア伝送であり、かつ前記単一サブキャリア間隔が、複数の構成を有するとき、前記端末は、前記基地局によって伝送されるタイプ−２メッセージを受信することを通して、タイプ−１メッセージのためのサブキャリア間隔を得る、項目５６に記載の方法。
（項目５８）
タイプ−２メッセージは、ランダムアクセス応答メッセージである、項目５７に記載の方法。
（項目５９）
ランダムアクセスの間のメッセージの伝送のための方法であって、
端末が、ランダムアクセスメッセージ伝送方法に対応するＭｓｇ３伝送方法に従って、Ｍｓｇ３を基地局に伝送することを含む、方法。
（項目６０）
ランダムアクセスメッセージ伝送方法は、前記ランダムアクセスメッセージの伝送方法と、ランダムアクセスメッセージによって占有されるランダムアクセスリソースとを含む、項目５９に記載の方法。
（項目６１）
前記ランダムアクセスメッセージのための伝送方法は、単一サブキャリア伝送または複数のサブキャリア伝送を含む、項目５９に記載の方法。
（項目６２）
前記ランダムアクセスメッセージのための伝送方法が、単一サブキャリア伝送であるとき、前記対応するＭｓｇ３伝送方法は、単一サブキャリア伝送であり、
前記ランダムアクセスメッセージのための伝送方法が、複数のサブキャリア伝送であるとき、前記対応するＭｓｇ３伝送方法は、複数のサブキャリア伝送である、項目６１に記載の方法。
（項目６３）
前記Ｍｓｇ３のためのランダムアクセスリソースは、単一サブキャリア伝送に関して、複数のサブキャリア伝送のためのものと異なる、項目６１に記載の方法。
（項目６４）
前記ランダムアクセス方法伝送方法に対応するＭｓｇ３伝送方法は、
前記ランダムアクセスメッセージによって占有されるランダムアクセスリソースに従って、前記端末を２つのセットに分割することを含み、Ｍｓｇ３伝送方法に対応する一方のセットは、単一サブキャリアを使用し、Ｍｓｇ３伝送方法に対応する他方のセットは、複数のサブキャリアを使用する、項目５９に記載の方法。
（項目６５）
前記ランダムアクセスリソースは、以下：
前記ランダムアクセスチャネル上の時間ドメインリソースと、
前記ランダムアクセスチャネル上の周波数ドメインリソースと、
前記ランダムアクセスチャネル上で伝送されるランダムアクセスシーケンスと
のうちの少なくとも１つを含む、項目６０から６４のいずれかに記載の方法。
（項目６６）
ランダムアクセスの間のメッセージの伝送のための装置であって、
端末が属する端末セットに対応するタイプ−１メッセージ伝送方法に従って、タイプ−１メッセージを基地局に伝送するように構成されている、第１の伝送ユニットを備え、
前記端末セットは、前記端末によってサポートされるサブキャリア伝送能力に従って分類される、装置。
（項目６７）
前記装置はさらに、前記端末が属する前記端末セットを判定するように構成されている、第１の判定ユニットを備える、項目６６に記載の装置。
（項目６８）
ランダムアクセスの間のメッセージの伝送のための装置であって、
端末が属する端末セットに対応するタイプ−１メッセージ伝送方法に従って、タイプ−１メッセージを基地局に伝送するように構成されている、第２の伝送ユニットを備え、
前記端末は、複数のサブキャリアの同時伝送をサポートし、
前記端末セットは、端末ランク付け情報に従って、Ｎ個の端末セットに分割され、異なる端末セットは、異なるランクの端末を備え、Ｎは、１を上回る正の整数である、装置。
（項目６９）
前記装置はさらに、前記端末が属する前記端末セットを判定するように構成されている、第２の判定ユニットを備える、項目６８に記載の装置。
（項目７０）
ランダムアクセスの間のメッセージの伝送のための装置であって、
端末が属する端末セットに対応するタイプ−１メッセージ伝送方法に従って、タイプ−１メッセージを基地局に伝送するように構成されている、第３の伝送ユニットを備え、
前記端末セットは、前記タイプ−１メッセージを伝送するために前記端末によって使用されるトランスポートブロックのサイズに従って、２つのサブセットに分割され、第１の端末セットを構成する端末は、タイプ−１メッセージを伝送するために大トランスポートブロックを使用し、第２の端末セットを構成する端末は、タイプ−１メッセージを伝送するために小トランスポートブロックを使用する、装置。
（項目７１）
前記装置はさらに、前記端末が属する前記端末セットを判定するように構成されている、第３の判定ユニットを備える、項目７０に記載の装置。
（項目７２）
ランダムアクセスの間のメッセージの伝送のための装置であって、
ランダムアクセスメッセージ伝送方法に対応するＭｓｇ３伝送方法に従ってＭｓｇ３を基地局に伝送するように構成されている、第４の伝送ユニットを備える、装置。
（項目７３）
前記装置はさらに、前記ランダムアクセスメッセージ伝送方法に対応する前記Ｍｓｇ３伝送方法を判定するように構成されている、第４の判定ユニットを備える、項目７２に記載の装置。
（項目７４）
命令のセットを備えるコンピュータ記憶媒体であって、前記命令のセットは、実行されると、少なくとも１つのプロセッサに、ランダムアクセスの間、項目１から３３に概略される、メッセージ伝送方法を実行させ、またはランダムアクセスの間、項目３４から５２に概略される、メッセージ伝送方法を実行させ、またはランダムアクセスの間、項目５３から５８に概略される、メッセージ伝送方法を実行させ、またはランダムアクセスの間、項目５９から６５に概略される、メッセージ伝送方法を実行させる、コンピュータ記憶媒体。
【手続補正３】
【補正対象書類名】明細書
【補正対象項目名】０１６８
【補正方法】削除
【補正の内容】
【手続補正４】
【補正対象書類名】明細書
【補正対象項目名】０１６９
【補正方法】削除
【補正の内容】
【国際調査報告】
2019506795.tif 000002
2019506795.tif 000003
2019506795.tif 000004
2019506795.tif 000005
2019506795.tif 000006
2019506795.tif 000007